(57)【要約】  無線アクセスノードと無線デバイスとの間の無線チャネル上で、位相追跡参照信号（PT-RS）のための設定メッセージを送信および受信するための技術が説明される。無線チャネルは、物理リソースブロック（PRB）(602）において複数のサブキャリアを含む。PRB (602）におけるサブキャリア（608）のサブセットは、復調参照信号（DM-RS）に割り当てられる。本技術の方法態様に関して、設定メッセージは、無線デバイスに送信される。設定メッセージは、DM-RSに割り当てられたサブキャリアのサブセットのうち、PT-RSに割り当てられた少なくとも1つのサブキャリアを示すビットフィールドを含む。【選択図】図８
2021503805.tif 000002
【特許請求の範囲】
【請求項１】
無線アクセスノード（510）と無線デバイス（512）との間の無線チャネル上で位相追跡参照信号（PT-RS）のための設定メッセージを送信する方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示すビットフィールドを含む、方法。
【請求項２】
請求項1に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含む、方法。
【請求項３】
請求項2に記載の方法であって、前記PRB(602）における前記複数のサブキャリア（608）の数は2nより大きい、方法。
【請求項４】
請求項1から3のいずれか1項に記載の方法であって、前記DM-RSに割り当てられたサブキャリア（608）の前記サブセットは、動的にシグナリングされる、方法。
【請求項５】
請求項1から4のいずれか1項に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項６】
請求項1から5のいずれか1項に記載の方法であって、前記ビットフィールドは、前記PT-RSに割り当てられた前記サブキャリア（608）として、前記DM-RSに割り当てられたサブキャリア（608）の前記サブセットにおける前記サブキャリア（608）のいずれかを表すサイズである、方法。
【請求項７】
請求項1から6のいずれか1項に記載の方法であって、前記ビットフィールドは、nビットを含み、前記DM-RSに割り当てられたサブキャリア（608）の前記サブセットにおける前記サブキャリア（608）の数は、2n以下である、方法。
【請求項８】
請求項1から7のいずれか1項に記載の方法であって、前記DM-RSに割り当てられたサブキャリア（608）の前記サブセットにおける各サブキャリア（608）は、インデックスによって一意に識別され、前記ビットフィールドは、前記PT-RSに割り当てられた前記サブキャリア（608）に対応する前記インデックスを示す、方法。
【請求項９】
請求項1から8のいずれか1項に記載の方法であって、前記PT-RSに割り当てられた前記サブキャリア（608）は、前記PT-RSのアップリンク送信及び前記PT-RSのダウンリンク送信の少なくとも1つについて、前記ビットフィールドから導出または導出可能である、方法。
【請求項１０】
請求項1から9のいずれか1項に記載の方法であって、前記無線チャネルは、1つ以上のDM-RSポートを介してアクセスされ、前記DM-RSの各送信は、前記1つ以上のDM-RSポートのうちの1つに関連付けられる、方法。
【請求項１１】
請求項10に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを送信する（304）ステップを更に含む、または、当該ステップをトリガする、方法。
【請求項１２】
請求項10または11に記載の方法であって、無線デバイス（512）は、前記無線アクセスノード（510）へのアップリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられたサブキャリア（608）上の前記DM-RSポートのうちの少なくとも1つを介して送信された前記PT-RSを受信する（304）ステップを更に含む、または、当該ステップをトリガする、方法。
【請求項１３】
請求項10から12のいずれか1項に記載の方法であって、前記無線チャネルは、マルチユーザ多入力多出力（MU-MIMO）チャネルを含み、前記DM-RSポートの異なるDM-RSグループは、異なる無線デバイス（512）へのアクセスを提供し、前記PT-RSは、各DM-RSグループにおける少なくとも1つのDM-RSポートを介して送信または受信される、方法。
【請求項１４】
請求項10から13のいずれか1項に記載の方法であって、前記DM-RSに割り当てられたサブキャリア（608）の前記サブセットは、対応するDM-RSポートに依存する、方法。
【請求項１５】
請求項14に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000072
により与えられ、ここで、R=1，2又は3；S=1又は2；及びオフセットΔ(p)は前記DM-RSポートpに依存する、方法。
【請求項１６】
請求項10から15のいずれか1項に記載の方法であって、前記ビットフィールドは、前記DM-RSに割り当てられたサブキャリア（608）のサブセットのうち、前記PT-RSのための2つの候補サブキャリア（608）を示し、前記PT-RSに割り当てられる前記サブキャリア（608）は、前記PT-RSが送信される前記DM-RSポートに基づいて、前記2つの候補サブキャリア（608）の中から決定される、方法。
【請求項１７】
請求項15または16に記載の方法であって、前記DM-RSポートpを介して送信される前記PT-RSに割り当てられる前記サブキャリア（608）は、2・R・m＋S・k'＋Δ(p)で与えられ、前記ビットフィールドはmを示しk'=p mod 2である、方法。
【請求項１８】
請求項14又は15又は17に記載の方法であって、異なるDM-RSは、前記DM-RSポートのそれぞれを介して送信される、方法。
【請求項１９】
請求項18に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項２０】
請求項10から19のいずれか1項に記載の方法であって、前記無線チャネルは、2つ以上のDM-RSポートを介してアクセスされるシングルユーザ多入力多出力（SU-MIMO）チャネルを含み、前記PT-RSは、前記2つ以上のDM-RSポートの少なくとも2つの各々で受信される、方法。
【請求項２１】
請求項10から19のいずれか1項に記載の方法であって、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項２２】
請求項10から21のいずれか1項に記載の方法であって、前記PT-RSは、少なくとも2つの異なるDM-RSポートのそれぞれを介して、および/または、アップリンク送信およびダウンリンク送信のそれぞれにおいて、送信される、方法。
【請求項２３】
請求項10から22のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項２４】
請求項23に記載の方法であって、前記TD-OCCの前記DM-RSポート依存性は、前記DM-RSポートpに対して、
2021503805.tif 000073
を含む、方法。
【請求項２５】
請求項23または24に記載の方法であって、前記FD-OCCの前記DM-RSポート依存性は、前記DM-RSポートpに対して、
2021503805.tif 000074
である、方法。
【請求項２６】
請求項23から25のいずれか1項に記載の方法であって、前記TD-OCCは、係数
2021503805.tif 000075
を含み、および/または、前記FD-OCCは、係数
2021503805.tif 000076
を含む、方法。
【請求項２７】
請求項10から26のいずれか1項に記載の方法であって、前記設定メッセージは、前記PT-RSが送信される（304; 404）各DM-RSポートについて、対応するDM-RSポートを介して送信される（306; 406）前記DM-RSに割り当てられたサブキャリアの前記サブセット（608）のうちの、前記PT-RSに割り当てられた前記サブキャリア（608）を示すビットフィールドのインスタンスを含む、方法。
【請求項２８】
請求項10から27のいずれか1項に記載の方法であって、前記PT-RSは、前記DM-RSポートのうちの1つを介して送信され（304; 404）、前記1つのDM-RSポートは、あらかじめ定義されたルールに従って決定される、または、前記DM-RSポートは、2つ以上のばらばらなDM-RSグループにグループ化され、前記PT-RSは、前記DM-RSグループの各々における前記DM-RSポートのうちの1つを介して送信され（304; 404）、前記1つのDM-RSポートは、前記DM-RSグループの各々に適用される、前記あらかじめ定義されたルールに従って決定される、方法。
【請求項２９】
請求項28に記載の方法であって、前記DM-RSポートの各々は、ポートインデックスによって一意に識別され、前記あらかじめ定義されたルールに従う前記DM-RSポートのうちの1つは、最も低いポートインデックスを有する前記DM-RSポートである、方法。
【請求項３０】
請求項10から29のいずれか1項に記載の方法であって、前記PT-RSは、前記PT-RSに割り当てられた前記サブキャリア（608）上のトーンを含み、前記トーンは、同じサブキャリア（608）上の対応するDM-RSポートを介して送信される（306; 406）前記DM-RSのトーンに対応する、方法。
【請求項３１】
請求項10から30のいずれか1項に記載の方法であって、各DM-RSポートは、プリコーダに従って複数のアンテナポートにマッピングされる、方法。
【請求項３２】
請求項1から30のいずれか1項に記載の方法であって、DM-RS設定タイプ1に従って前記DM-RSに割り当てられたサブキャリア（608）の前記サブセットにおける前記サブキャリア（608）の数は、DM-RS設定タイプ2に従って前記DM-RSに割り当てられたサブキャリア（608）の前記サブセットにおける前記サブキャリア（608）の数の2倍であり、
前記DM-RS設定タイプ1と前記DM-RS設定タイプ2それぞれに対して、同じサイズのビットフィールドが使用され、前記DM-RS設定タイプ2において前記PT-RSに割り当てられたサブキャリア（608）を決定するために、前記ビットフィールドの最上位ビットは、無視またはゼロに設定される、方法。
【請求項３３】
無線アクセスノード（510）と無線デバイス（512）との間の無線チャネル上で位相追跡参照信号（PT-RS）のための設定メッセージを受信する方法（400）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線アクセスノード（510）から受信する（402）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示すビットフィールドを含む、方法。
【請求項３４】
請求項33に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含む、方法。
【請求項３５】
請求項34に記載の方法であって、前記PRB(602）における前記複数のサブキャリア（608）の数は2nより大きい、方法。
【請求項３６】
請求項33から35のいずれか1項に記載の方法であって、前記DM-RSに割り当てられたサブキャリア（608）の前記サブセットは、動的にシグナリングされる、方法。
【請求項３７】
請求項33から36のいずれか1項に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項３８】
請求項33から37のいずれか1項に記載の方法であって、前記ビットフィールドは、前記PT-RSに割り当てられた前記サブキャリア（608）として、前記DM-RSに割り当てられたサブキャリア（608）の前記サブセットにおける前記サブキャリア（608）のいずれかを表すサイズである、方法。
【請求項３９】
請求項33から38のいずれか1項に記載の方法であって、前記ビットフィールドは、nビットを含み、前記DM-RSに割り当てられたサブキャリア（608）の前記サブセットにおける前記サブキャリア（608）の数は、2n以下である、方法。
【請求項４０】
請求項33から38のいずれか1項に記載の方法であって、前記DM-RSに割り当てられたサブキャリア（608）の前記サブセットにおける各サブキャリア（608）は、インデックスによって一意に識別され、前記ビットフィールドは、前記PT-RSに割り当てられた前記サブキャリア（608）に対応する前記インデックスを示す、方法。
【請求項４１】
請求項33から40のいずれか1項に記載の方法であって、前記PT-RSに割り当てられた前記サブキャリア（608）は、前記PT-RSのアップリンク送信（404）及び前記PT-RSのダウンリンク送信（304）の少なくとも1つについて、前記ビットフィールドから導出または導出可能である、方法。
【請求項４２】
請求項33から41のいずれか1項に記載の方法であって、前記無線チャネルは、1つ以上のDM-RSポートを介してアクセスされ、DM-RSは、各DM-RSポートを介して送信または受信される、方法。
【請求項４３】
請求項42に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを受信する（404）ステップを更に含む、または、当該ステップをトリガする、方法。
【請求項４４】
請求項42または43に記載の方法であって、無線デバイス（512）は、前記無線アクセスノード（510）へのアップリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられたサブキャリア（608）上の前記DM-RSポートのうちの少なくとも1つを介して送信された前記PT-RSを送信する（404）ステップを更に含む、または、当該ステップをトリガする、方法。
【請求項４５】
請求項42から44のいずれか1項に記載の方法であって、前記無線チャネルは、マルチユーザ多入力多出力（MU-MIMO）チャネルを含み、前記DM-RSポートの異なるDM-RSグループは、異なる無線デバイス（512）へのアクセスを提供し、前記PT-RSは、各DM-RSグループにおける少なくとも1つのDM-RSポートを介して送信または受信される、方法。
【請求項４６】
請求項42から45のいずれか1項に記載の方法であって、前記DM-RSに割り当てられたサブキャリア（608）の前記サブセットは、対応するDM-RSポートに依存する、方法。
【請求項４７】
請求項46に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000077
により与えられ、ここで、R=1，2又は3；S=1又は2；及びオフセットΔ(p)は前記DM-RSポートpに依存する、方法。
【請求項４８】
請求項42から47のいずれか1項に記載の方法であって、前記ビットフィールドは、前記DM-RSに割り当てられたサブキャリア（608）のサブセットのうち、前記PT-RSのための2つの候補サブキャリア（608）を示し、前記PT-RSに割り当てられる前記サブキャリア（608）は、前記PT-RSが送信される前記DM-RSポートに基づいて、前記2つの候補サブキャリア（608）の中から決定される、方法。
【請求項４９】
請求項47及び48に記載の方法であって、前記DM-RSポートpを介して送信される前記PT-RSに割り当てられる前記サブキャリア（608）は、2・R・m＋S・k'＋Δ(p)で与えられ、前記ビットフィールドはmを示しk'=p mod 2である、方法。
【請求項５０】
請求項46又は47又は49に記載の方法であって、異なるDM-RSは、前記DM-RSポートのそれぞれを介して送信または受信される、方法。
【請求項５１】
請求項50に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項５２】
請求項42から51のいずれか1項に記載の方法であって、前記無線チャネルは、2つ以上のDM-RSポートを介してアクセスされるシングルユーザ多入力多出力（SU-MIMO）チャネルを含み、前記PT-RSは、前記2つ以上のDM-RSポートの少なくとも2つの各々で受信される、方法。
【請求項５３】
請求項42から52のいずれか1項に記載の方法であって、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項５４】
請求項42から53のいずれか1項に記載の方法であって、前記PT-RSは、少なくとも2つの異なるDM-RSポートのそれぞれを介して、および/または、アップリンク送信およびダウンリンク送信のそれぞれにおいて、送信される、方法。
【請求項５５】
請求項42から54のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項５６】
請求項55に記載の方法であって、前記TD-OCCの前記DM-RSポート依存性は、前記DM-RSポートpに対して、
2021503805.tif 000078
を含む、方法。
【請求項５７】
請求項55または56に記載の方法であって、前記FD-OCCの前記DM-RSポート依存性は、前記DM-RSポートpに対して、
2021503805.tif 000079
である、方法。
【請求項５８】
請求項55から57のいずれか1項に記載の方法であって、前記TD-OCCは、係数
2021503805.tif 000080
を含み、および/または、前記FD-OCCは、係数
2021503805.tif 000081
を含む、方法。
【請求項５９】
請求項42から58のいずれか1項に記載の方法であって、前記設定メッセージは、前記PT-RSが送信される（304; 404）各DM-RSポートについて、対応するDM-RSポートを介して送信される（306; 406）前記DM-RSに割り当てられたサブキャリアの前記サブセット（608）のうちの、前記PT-RSに割り当てられた前記サブキャリア（608）を示すビットフィールドのインスタンスを含む、方法。
【請求項６０】
請求項42から59のいずれか1項に記載の方法であって、前記PT-RSは、前記DM-RSポートのうちの1つを介して送信され（304; 404）、前記1つのDM-RSポートは、あらかじめ定義されたルールに従って決定される、または、前記DM-RSポートは、2つ以上のばらばらなDM-RSグループにグループ化され、前記PT-RSは、前記DM-RSグループの各々における前記DM-RSポートのうちの1つを介して送信され（304; 404）、前記1つのDM-RSポートは、前記DM-RSグループの各々に適用される、前記あらかじめ定義されたルールに従って決定される、方法。
【請求項６１】
請求項60に記載の方法であって、前記DM-RSポートの各々は、ポートインデックスによって一意に識別され、前記あらかじめ定義されたルールに従う前記DM-RSポートのうちの1つは、最も低いポートインデックスを有する前記DM-RSポートである、方法。
【請求項６２】
請求項42から61のいずれか1項に記載の方法であって、前記PT-RSは、前記PT-RSに割り当てられた前記サブキャリア（608）上のトーンを含み、前記トーンは、同じサブキャリア（608）上の対応するDM-RSポートを介して送信される（306; 406）前記DM-RSのトーンに対応する、方法。
【請求項６３】
請求項42から62のいずれか1項に記載の方法であって、各DM-RSポートは、プリコーダに従って複数のアンテナポートにマッピングされる、方法。
【請求項６４】
請求項1から63のいずれか1項に記載の方法であって、DM-RS設定タイプ1に従って前記DM-RSに割り当てられたサブキャリア（608）の前記サブセットにおける前記サブキャリア（608）の数は、DM-RS設定タイプ2に従って前記DM-RSに割り当てられたサブキャリア（608）の前記サブセットにおける前記サブキャリア（608）の数の2倍であり、前記DM-RS設定タイプ1と前記DM-RS設定タイプ2それぞれに対して、同じサイズのビットフィールドが使用され、前記DM-RS設定タイプ2において前記PT-RSに割り当てられたサブキャリア（608）を決定するために、前記ビットフィールドの最上位ビットは、無視またはゼロに設定される、方法。
【請求項６５】
コンピュータプログラム製品であって、前記コンピュータプログラム製品が1つ以上のコンピューティングデバイス（1004; 1204）によって実行されるときに、請求項1から64のいずれか1項の前記ステップを実行するためのプログラムコード部分を含む、コンピュータプログラム製品。
【請求項６６】
コンピュータ可読記録媒体（1006; 1206）に記憶された、請求項65に記載のコンピュータプログラム製品。
【請求項６７】
無線アクセスノード（510）と無線デバイス（512）との間の無線チャネル上で位相追跡参照信号（PT-RS）のための設定メッセージを送信するための、好ましくは無線アクセスノード（510）によって具現化されるデバイス（100）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、
前記設定メッセージを前記無線デバイス（512）に送信するステップを実行、または、当該ステップをトリガするように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項６８】
請求項67に記載のデバイスであって、請求項2から32のいずれか１項に記載の前記ステップを実行するように構成される、デバイス。
【請求項６９】
無線アクセスノード（510）と無線デバイス（512）との間の無線チャネル上で位相追跡参照信号（PT-RS）のための設定メッセージを受信するための、好ましくは無線デバイス（512）によって具現化されるデバイス（200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、
前記設定メッセージを前記無線アクセスノード（510）から受信するステップを実行、または、当該ステップをトリガするように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項７０】
請求項69に記載のデバイスであって、請求項34から64のいずれか１項に記載の前記ステップを実行するように構成される、デバイス。
【請求項７１】
無線アクセスノード（510）と無線デバイス（512）との間の無線チャネル上で位相追跡参照信号（PT-RS）のための設定メッセージを送信するための、好ましくは無線アクセスノード（510）によって具現化されるデバイス（100）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、少なくとも1つのプロセッサ（1004）とメモリ（1006）とを備え、前記メモリ（1006）は、前記少なくとも1つのプロセッサ（1004）によって実行可能な命令を含み、それにより前記デバイス（100）は、
前記設定メッセージを前記無線デバイス（512）に送信するように動作し、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項７２】
請求項71に記載のデバイスであって、更に請求項2から32のいずれか１項に記載の前記ステップを実行するように動作する、デバイス。
【請求項７３】
無線アクセスノード（510）と無線デバイス（512）との間の無線チャネル上で位相追跡参照信号（PT-RS）のための設定メッセージを受信するための、好ましくは無線デバイス（512）によって具現化されるデバイス（200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、少なくとも1つのプロセッサ（1204）とメモリ（1206）とを備え、前記メモリ（1206）は、前記少なくとも1つのプロセッサ（1204）によって実行可能な命令を含み、それにより前記デバイス（200）は、
前記設定メッセージを前記無線アクセスノード（510）から受信するように動作し、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項７４】
請求項73に記載のデバイスであって、更に請求項34から64のいずれか１項に記載の前記ステップを実行するように動作する、デバイス。
【請求項７５】
無線アクセスノード（510）と無線デバイス（512）との間の無線チャネル上で位相追跡参照信号（PT-RS）のための設定メッセージを送信するための、好ましくは無線アクセスノード（510）によって具現化されるデバイス（100）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、
前記設定メッセージを前記無線デバイス（512）に送信するための設定送信モジュール（102）を備え、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項７６】
請求項75に記載のデバイスであって、更に請求項2から32のいずれか1項に記載の前記ステップを実行するための1つ以上のモジュールを備える、デバイス。
【請求項７７】
無線アクセスノード（510）と無線デバイス（512）との間の無線チャネル上で位相追跡参照信号（PT-RS）のための設定メッセージを受信するための、好ましくは無線デバイス（512）によって具現化されるデバイス（200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、
前記設定メッセージを前記無線アクセスノード（510）から受信するための設定受信モジュール（202）を備え、前記設定メッセージは、前記DM-RSに割り当てられたサブキャリア（608）の前記サブセットのうち、前記PT-RSに割り当てられた少なくとも1つのサブキャリア（608）を示すビットフィールドを含む、デバイス。
【請求項７８】
請求項77に記載のデバイスであって、更に請求項34から64のいずれか1項に記載の前記ステップを実行するための1つ以上のモジュールを備える、デバイス。
【請求項７９】
無線アクセスノード（510）と無線デバイス（512）との間の無線チャネル上で位相追跡参照信号（PT-RS）のための設定メッセージを表す無線信号構造であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記無線信号構造は、前記無線デバイス（512）への送信のために構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含む、無線信号構造。
【請求項８０】
請求項79に記載の無線信号構造であって、請求項1から64のいずれか1項に記載の前記ステップをトリガするように更に構成される、無線信号構造。
【請求項８１】
無線アクセスノード（510）と無線デバイス（512）との間の無線チャネル上で位相追跡参照信号（PT-RS）のための設定メッセージを送信する（300）または受信する（400）方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示すビットフィールドを含み、
前記設定メッセージを前記無線アクセスノード（510）から受信する（402）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含む、方法。
【請求項８２】
無線アクセスノード（510）と無線デバイス（512）との間の無線チャネル上で位相追跡参照信号（PT-RS）のための設定メッセージを送信または受信するための、好ましくは無線アクセスノード（510）と無線デバイス（512）の少なくとも一方によって具現化されるシステム（100, 200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記システム（100, 200）は、
前記設定メッセージを前記無線デバイス（512）に送信するステップを実行、または、当該ステップをトリガするように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、
前記設定メッセージを前記無線アクセスノード（510）から受信するステップを実行、または、当該ステップをトリガするように構成され、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含む、システム。
【発明の詳細な説明】
【技術分野】
【０００１】
本開示は、一般的には位相追跡参照信号（PT-RS）を設定するための技術に関するものである。より具体的には、PT-RSのための設定（構成）メッセージ、ならびにそのような設定メッセージを表す無線信号構造を送信および受信するための方法およびデバイスが提供される。
【背景技術】
【０００２】
次世代の無線アクセス技術のための物理的信号構造は、第3世代パートナーシッププロジェクト（3GPP）によってNew Radio（NR）として指定されている。NRは常時オン送信を最小限に抑え、ネットワークのエネルギー効率を高め、前方互換性を確保するリーン設計となっている。既存の3GPPロングタームエボリューション（LTE）とは対照的に、NRにおける参照信号は、必要なときにのみ送信される。主な4つの参照信号（基準信号）には、復調参照信号（DM-RS）、位相追跡参照信号（PT-RS）、音響参照信号（SRS）、チャネル状態情報参照信号（CSI-RS）がある。
【０００３】
発振器位相ノイズ（雑音）の補償を可能にするために、NRにおいてPT-RSが導入された。典型的には、位相ノイズは、発振器キャリア（搬送波）周波数の関数として増加する。従って、PT-RSは、位相ノイズを緩和するためにｍｍ波（ミリ波）のような高いキャリア周波数で利用できる。直交周波数分割多重（OFDM）信号における位相ノイズにより生じる主な劣化の一つは、共通位相誤差（CPE）として知られる全てのサブキャリアの同一位相回転である。CPEによって生成される位相回転はOFDMシンボル内のすべてのサブキャリアに対して同一であるが、OFDMシンボル間の位相ノイズの低い相関があるため、PT-RSは、周波数領域において低密度であり、時間領域において高密度である。PT-RSはユーザ装置（UE）に固有であり、スケジュールされたリソースに限定される。PT-RSの送信に使用するDM-RSポートの数は、DM-RSポートの総数より少なくすることができる。
【０００４】
正確なPT-RSサブキャリアは例えば、DM-RSポートインデックス、DM-RSスクランブリングID(SCID)、およびセルIDのパラメータのうちの1つまたは複数の関数（機能）として、暗黙的に定義され得る。さらに、従来のパラメータ"PTRS-RE-offset"の明示的（例えば、無線リソース制御、RRC）シグナリングは、重要な、例えば、性能が悪い直流（DC）サブキャリアとのPT-RSの衝突の回避を強制することができるようにするために、前述の暗示的関連ルールをオーバライドすることができ、それゆえ、単純または既存の解は、0から11までの任意の値をとることができる明示的オフセットまたは位置"PTRS-RE-offset"をシグナリングするのであろう。言い換えると、PT-RSは、この既存の明示的シグナリングを使用して、PRB内の任意のサブキャリアにマッピングすることができる。
【０００５】
既存のシグナリングでは、シグナリングされるパラメータ"PTRS-RE-offset"を0から11の任意の値に設定することができる。PDSCHまたはPUSCH送信に使用されるDM-RSは"PTRS-RE-offset"で示されるサブキャリアを使用しなければならないため、RRCシグナリングを使用するシグナリングされる"PTRS-RE-offset"は、gNBスケジューリング制限（制約）を意味するという問題がある。
【０００６】
例えば、"PTRS-RE-offset=0"の場合、DM-RS設定タイプ1が設定される場合、PT-RSはDM-RSによって使用されるサブキャリア、すなわち、前記サブセット内にマッピングされなければならないので、DM-RSサブキャリアコム（comb／櫛状部）、すなわち、DM-RSに割り当てられたサブキャリアのサブセット｛1,3,5,7,9,11｝は、UEをスケジューリングするときに使用することができない。
【０００７】
別の問題は、既存のシグナリングにおける高いオーバーヘッドである。"PTRS-RE-offset"を0から11までの値に設定できる場合、"PTRS-RE-offset"インジケーション（指標/表示）につき4ビットが必要である。さらに、ダウンリンク（DL）およびアップリンク（UL）のPT-RSポートは異なるDM-RSポートに関連付けることができるため、ULおよびDLの"PTRS-RE-offset"の独立インジケーションが必要となり、したがってオーバーヘッドが増加する。同様に、既存のシグナリングは、SU-MIMOの各PT-RSポートに対する"PTRS-RE-offset"パラメータを独立に示さなければならず、それによってシグナリングオーバーヘッドがさらに増加する。
【発明の概要】
【０００８】
したがって、PT-RSをより効率的におよび/またはより柔軟に設定することを可能にする技術が必要とされている。より具体的には、設定によって引き起こされるシグナリングオーバーヘッドを低減する技術が必要とされている。その代わりに、またはそれに加えて、スケジューリング制限を回避する技術が必要とされている。
【０００９】
一態様として、無線アクセスノードと無線デバイスとの間の無線チャネル上の位相追跡参照信号（PT-RS）の設定（構成）メッセージを送信する方法を提供する。無線チャネルは、物理リソースブロック（PRB）内に複数のサブキャリアを含む。PRBにおけるサブキャリアのサブセットは、復調参照信号（DM-RS）に割り当てられる。方法は、設定メッセージを無線デバイスに送信するステップを含むか、またはトリガする。設定メッセージはDM-RSに割り当てられたサブキャリアのサブセットのうち、PT-RSに割り当てられた少なくとも1つのサブキャリアを示すビットフィールドを含む。
【００１０】
PT-RSに割り当てられた1つのサブキャリアは、PT-RSのPT-RSサブキャリアとも呼ばれる。DM-RSに割り当てられたサブキャリアは、DM-RSサブキャリアとも呼ばれる。DM-RSに割り当てられたサブキャリアのサブセット（すなわち、DM-RSサブキャリアを含むサブセット）は、DM-RSサブセットとも呼ばれる。DM-RSサブセットは、PRBにおける複数のサブキャリアの適切なサブセットであり得る。言い換えると、サブセットは、PRBよりも少ないサブキャリアを含むことができる。
【００１１】
ビットフィールドの手段により、設定メッセージは例えば、DM-RSに割り当てられた関連するサブキャリアのサブセットに関連して、相対的なオフセットをシグナリングし得る。ビットフィールドによって表されるパラメータまたは機能は、PT-RSのためのサブキャリアオフセットまたはリソース要素オフセット（RE-offset）、または簡単には"PTRS-RE-offset"と呼ばれ得る。この方法は、PT-RSのRE offsetシグナリングとして実装することができる。
【００１２】
PT-RSに使用される実際のサブキャリアは、パラメータ"PTRS-RE-offset"とDM-RSに割り当てられたサブキャリアのサブセットの両方に依存することがある。たとえば、DM-RSポートがDM-RSポート番号によって識別される場合、PT-RSに使用される実際のサブキャリアは、パラメータ"PTRS-RE-offset"とDM-RSポート番号の両方に依存することがある。
【００１３】
さらに、複数の異なるDM-RSが、対応するDM-RSポート上で送信され得る。DM-RSポート番号pは無線チャネルに使用される一連のDM-RSポートのセットの中であり得る。例えば、無線チャネルのチャネル推定を実行するため、および/または、無線チャネルの受信側のデータチャネルとして無線チャネルを復調するために使用される。
【００１４】
スケジューリング制限を回避し、シグナリングオーバーヘッドを低減するために、ビットフィールドの値、すなわち、パラメータ"PTRS-RE-offset"は、特定の送信におけるDM-RSポートに割り当てられるサブキャリアのサブセットにおける相対的サブキャリアインデックスを表す。
【００１５】
パラメータ"PTRS-RE-offset"を設定メッセージのビットフィールドにおける設定パラメータとして送信することによって、少なくともいくつかの実施形態では、スケジューリング制限を回避することができる。なぜならば、可能なPT-RSサブキャリアのグループが、PT-RSポートに関連付けられるDM-RSポートに、割り当てられる、または、スケジュールされることによって使用される、サブキャリアのサブセットに制限されるからである。
【００１６】
同じ実施形態（例えば、前述の段落の実施形態）または更なる実施形態は、"PTRS-RE-offset"の共通のインジケーションをDLおよびULに使用することができるので、既存のオフセット信号よりも著しく少ないシグナリングオーバーヘッドを必要とすることがある。また、SU-MIMOにおける異なるPT-RSポートにも共通インジケーションを使用することができる。
【００１７】
ビットフィールドは、DM-RSに割り当てられたサブキャリアのサブセットのうち、PT-RSに割り当てられた少なくとも1つのサブキャリアを示すnビットを含むことができる。PRBにおける複数のサブキャリアの数は、2nより大きくてもよい。
【００１８】
DM-RSに割り当てられるサブキャリアのサブセットは、動的にシグナリングされ得る。
【００１９】
ビットフィールドは、DM-RSに割り当てられたサブキャリアのサブセットのうち、PT-RSに割り当てられた少なくとも1つのサブキャリアを示す2または3ビットを含むことができる。PRBにおける複数のサブキャリアの数は、12であってもよい。
【００２０】
ビットフィールドは、PT-RSに割り当てられたサブキャリアとして、DM-RSに割り当てられたサブキャリアのサブセットにおけるサブキャリアのいずれかを表すためのサイズにすることができる。
【００２１】
ビットフィールドは、nビットを含むことができる。DM-RSに割り当てられたサブキャリアのサブセット内のサブキャリアの数は、2n以下であってもよい。
【００２２】
DM-RSに割り当てられたサブキャリアのサブセットにおける各サブキャリアは、インデックスによって一意的に特定され得る。ビットフィールドは、PT-RSに割り当てられたサブキャリアに対応するインデックスを示すことができる。
【００２３】
無線チャネルは、1つ以上のDM-RSポートを介してアクセスされることができる。DM-RSの各送信は、1つ以上のDM-RSポートの1つに関連付けられることができる。
【００２４】
1つ以上のDM-RSポートのそれぞれは、DM-RSポートインデックスによって一意に識別される場合がある。DM-RSの各送信（簡単には:DM-RS送信）は、DM-RSポートインデックスと定義することも、関連付けることもできる。
【００２５】
1つ以上のDM-RSポートは、無線チャネルの送信側に配置されても（またはそれを定義しても）よい。1つ以上のDM-RSポートは、無線アクセスノードによってダウンリンク送信のために使用されてもよい（例えば、そこに配置され得る）。代替的に又は追加的に、1つ以上のDM-RSポートは、アップリンク送信のために、無線デバイスによって使用され得る（例えば、そこに配置され得る）。
【００２６】
代替的に又は追加的に、1つ以上のDM-RSポートは、無線チャネルの受信側に配置されてもよい（又は定義されてもよい）。例えば、送信側は当初、DM-RSを送信することによってDM-RSポートを定義することができ、受信側は、受信したDM-RSに基づいてビームフォーム受信のための組合せ重みを定義することができる。1つ以上のDM-RSポートは、アップリンク受信のために無線アクセスノードによって使用されてもよい（例えば、そこに配置され得る）。代替的に又は追加的に、1つ以上のDM-RSポートはダウンリンク送信のために、無線デバイスによって使用され得る（例えば、そこに配置され得る）。
【００２７】
無線チャネル上の送信は、1つまたは複数のレイヤ（空間ストリームとも呼ばれる）を備えることができる。レイヤの数は、無線チャネルを通じた送信に使用されるDM-RSポートの数と同じになることがある。無線チャネルは、送信側（すなわち、MIMOチャネルの入力）でDM-RSポートを通してアクセスされ、任意に複数の送信機アンテナにマッピングされ、受信機側（すなわち、MIMOチャネルの出力）でアンテナによって形成される複数の受信機ポートを通して受信される、多入力多出力（MIMO）チャネルであってもよい。
【００２８】
複数の送信されたレイヤは、送信プリコーダによって空間および/または偏波領域において分離され、チャネル推定を実行することによって受信機において分離され、任意選択で、受信側で受信されたDM-RSおよび/またはPT-RSに基づいて、無線チャネルのための干渉レイヤの抑制を実行することによって受信機において分離され得る。例えば、送信は2つ以上のレイヤが2つ以上のDM-RSポートを介してアクセスされてもよい、マルチレイヤシングル（単一）ユーザMIMO（SU-MIMO）送信であってもよい。
【００２９】
DM-RSは、送信側でプリコーディング（事前符号化）し、受信側で無線チャネルを復調する少なくとも1つのために使用することができる。
【００３０】
DM-RSに割り当てられるサブキャリアのサブセットは、対応するDM-RSポートに依存する場合がある。各DM-RSポートについて、PRBにおけるサブキャリアのサブセットは、対応するDM-RSポートを通してDM-RS送信された（または送信される）DM-RSに割り当てることができる。すなわち、DM-RSに割り当てられるサブキャリアのサブセットが、各DM-RSポートに関連付けられる。異なるDM-RSポートを介してDM-RSを送信するために使用されるサブキャリアのサブセットのうちの少なくともいくつかは、異なる可能性がある。例えば、異なるサブセットは、相互にばらばらであってもよい。
【００３１】
PRBは、インデックスｋ∈｛0, ...,11｝によって与えられる12個のサブキャリアを含むことができる。DM-RSポートpを介して送信されているDM-RSに割り当てられたサブキャリアのサブセットは、
2021503805.tif 000003
により与えられ、ここで、R=1，2又は3；S=1又は2；及びオフセットΔ(p)はDM-RSポートpに依存する。
【００３２】
DM-RS設定タイプ1の場合、パラメータは、R=2、S=2、およびΔ(p)∈｛0,1｝とすることができる。DM-RS設定タイプ2の場合、パラメータは、R=3、S=1、およびΔ(p)∈｛0,2,4｝であってもよい。上記のセットの式において、上限"11"はNRBSC - 1に置き換えられてもよく、上限"6/R"はNRBSC／(2R)に置き換えられてもよい。
【００３３】
DM-RSはシーケンスr(2・m + k'+ n0)から導出されてもよく、ここで、n0 = NstartBWP,iNRBsc/R、NstartBWP,iは、PRBの単位におけるキャリア帯域幅部分の開始であり、NRBsc = 12はPRB当たりのサブキャリアの数である。
【００３４】
DM-RSポートごとに異なるDM-RSを送信できる。異なるDM-RS（例えば、直交信号）が異なるDM-RSポート上で送信されるので、"DM-RS"に対する任意の依存性は、対応する"DM-RSポート"に対する依存性として等しく表現され得る。
【００３５】
異なるDM-RSポートを介して送信されるDM-RSは、周波数領域における直交カバーコード、時間領域における直交カバーコード、およびDM-RSに割り当てられたサブキャリアのサブセットのうちの少なくとも1つによって区別され得る。
【００３６】
例えば、異なるDM-RSポートを介して送信されるDM-RSの各々は、サブキャリアのばらばらのサブセットを使用するか、または周波数領域において直交符号化され得る。
【００３７】
DM-RSポートの1つがPT-RSに関連付けられている場合がある。PT-RSは、PT-RSに関連付けられたDM-RSポートを通して送信されることがある。PT-RSは、1つのDM-RSポートを介して送信されるDM-RSに割り当てられたサブキャリアのサブセットのうち、ビットフィールドに従って、PT-RSに割り当てられたサブキャリア上で送信されてもよい。
【００３８】
PT-RSおよびDM-RSは（例えば、OFDMシンボルまたは異なるPRB、すなわち、異なるスロットまたは送信時間隔、TTIにおいて）同時にまたは別々に送信され得る。さらに、PT-RSの送信とDM-RSの送信とが重複してもよい。PT-RSの送信持続時間はDM-RSの送信持続時間よりも長くてもよい（例えば、複数倍長くてもよい）。例えば、PT-RSは、14個のOFDMシンボルを含む1つのPRBの間に送信されることができる。DM-RSは、1つまたは2つのOFDMシンボルの間に送信されてもよい。
【００３９】
PT-RSに割り当てられるサブキャリアは、PT-RSのアップリンク送信とPT-RSのダウンリンク送信の少なくとも1つについて、ビットフィールドから導出または導出可能であり得る。
【００４０】
無線アクセスノードは、無線デバイスへのダウンリンク送信のために、DM-RSポートを介して無線チャネルにアクセスするように構成されてもよい。方法は、対応するDM-RSポートのためにDM-RSに割り当てられたサブキャリアのサブセットの中のビットフィールドに従って、PT-RSに割り当てられたサブキャリア上のDM-RSポートのうちの少なくとも1つを介してPT-RSを送信するステップをさらに含むか、またはトリガすることができる。
【００４１】
代替的に又は追加的に、無線デバイスは、無線アクセスノードへのアップリンク送信のために、DM-RSポートを介して無線チャネルにアクセスするように構成されてもよい。方法は、対応するDM-RSポートのためにDM-RSに割り当てられたサブキャリアのサブセットの中のビットフィールドに従って、PT-RSに割り当てられたサブキャリア上のDM-RSポートのうちの少なくとも1つを介して送信されたPT-RSを受信するステップをさらに含むか、またはトリガすることができる。
【００４２】
PT-RSが送信されるDM-RSポートは、PT-RSポートと呼ばれることもある。表現"PT-RS"は、異なるDM-RSポート（ポート固有のPT-RS）上で送信される異なるPT-RSを集合的に指すことができる。代替的に又は追加的に、表現"PT-RS"は例えば、特定のPT-RSポートの文脈において、ポート固有のPT-RSを指すことができる。
【００４３】
無線アクセスノードは、無線チャネル上の少なくとも1つの無線デバイスに無線アクセスを提供してもよい。各無線デバイスについて、PT-RSは、1つまたは2つのDM-RSポートのそれぞれを介して送信され得る。
【００４４】
無線チャネルは、2つ以上のDM-RSポートを介してアクセスされるシングルユーザ多入力多出力（SU-MIMO）チャネルを含むことができる。PT-RSは、2つ以上のDM-RSポートのうちの少なくとも2つのポートの各々で送信または受信されてもよい。無線チャネルは、2つ以上のレイヤおよび/または2つ以上のDM-RSポートを備えることができる。PT-RSは、2つ以上のレイヤの各々に対して、または2つ以上のDM-RSポートの各々を介して送信または受信され得る。
【００４５】
無線チャネルは、マルチユーザ多入力多出力（MU-MIMO）チャネルを含むことができる。DM-RSポートの異なるDM-RSグループは、異なる無線デバイスへのアクセスを提供し得る。PT-RSは、各DM-RSグループにおける少なくとも1つのDM-RSポートを介して送信または受信され得る。
【００４６】
MU-MIMOチャネルは、複数の無線デバイスの各々に対して、少なくとも1つのレイヤ又は少なくとも1つのDM-RSポートを備えることができる。複数の無線デバイスのそれぞれについて、PT-RSは、少なくとも1つのレイヤ上で、または少なくとも1つのDM-RSポートを介して送信または受信され得る。
【００４７】
PT-RSに割り当てられるサブキャリアは、設定メッセージにおけるビットフィールドと、PT-RSが送信または受信されるDM-RSポートとの組合せに基づいて、DM-RSに割り当てられるサブキャリアのサブセットの中で一意に決定されてもよい。
【００４８】
ビットフィールドの同じ値は、異なるDM-RSポートを介して送信または受信されたPT-RSに割り当てられた異なるサブキャリアを示すことができる。
【００４９】
ビットフィールドは、DM-RSに割り当てられたサブキャリアのサブセットのうち、PT-RSのための2つの候補サブキャリアを示すことができる。PT-RSに割り当てられるサブキャリアは、PT-RSが送信または受信されるDM-RSポートに基づいて、2つの候補サブキャリアの中から決定されてもよい。
【００５０】
DM-RSポートpを介して送信または受信されるPT-RSに割り当てられるサブキャリアは、2・R・m＋S・k'＋Δ(p)で与えられる。ビットフィールドは、mを示すことができる。k'の値は、DM-RSポートpによってp mod 2に決定されることがある。
【００５１】
PT-RSは、少なくとも2つの異なるDM-RSポートのそれぞれを介して送信または受信され得る。代替的に、又は、組み合わせて、PT-RSは、アップリンク送信とダウンリンク送信のそれぞれにおいて送信または受信することができる。
【００５２】
DM-RSポートpを通して送信されるDM-RSは、時間領域における直交カバーコード（OCC）に従うことができる（TD-OCC）。代替的に又は追加的に、DM-RSポートpを通して送信されるDM-RSは、周波数領域におけるOCC（FD-OCC）に従うことができる。PT-RSに割り当てられたサブキャリアは、ビットフィールドと、TD-OCCのDM-RSポート依存性と、FD-OCCのDM-RSポート依存性との組合せに基づき、DM-RSに割り当てられたサブキャリアのサブセットの中から決定されることができる。組合せは、合計を含むことができる。
【００５３】
例えば、TD-OCCのDM-RSポート依存性は、DM-RSポートpに対して、
2021503805.tif 000004
を含み得る。代替的に、又は、組み合わせて、FD-OCCのDM-RSポート依存性は、DM-RSポートpに対して、
2021503805.tif 000005
を含み得る。
【００５４】
ここで、Rは、DM-RS設定タイプ1については2に等しくてもよく、DM-RS設定タイプ2については3に等しくてもよい。
【００５５】
TD-OCCは、
2021503805.tif 000006
に従った係数（例えば符号）を含み得る。
代替的に、又は、組み合わせて、FD-OCCは
2021503805.tif 000007
に従った係数（例えば符号）を含み得る。
【００５６】
設定メッセージは、PT-RSが送信または受信される各DM-RSポートについて、対応するDM-RSポートを介して送信されるDM-RSに割り当てられたサブキャリアのサブセットのうちの、PT-RSに割り当てられたサブキャリアを示すビットフィールドのインスタンスを含み得る。
【００５７】
PT-RSは、DM-RSポートの1つを介して送信または受信され得る。1つのDM-RSポートは、あらかじめ定義されたルールに従って決定され得る。例えば、DM-RSポートは、2つ以上のばらばらな（互いに素な）DM-RSグループにグループ化されてもよく、PT-RSはDM-RSグループの各々におけるDM-RSポートのうちの1つを介して送信または受信されてもよい。1つのDM-RSポートは、DM-RSグループの各々に適用される、あらかじめ定義されたルールに従って決定され得る。
【００５８】
PT-RSが送信または受信される1つのDM-RSポートは、設定メッセージで指定されていない可能性がある。無線アクセスノードと無線デバイスのそれぞれは、あらかじめ定義されたルールを個別に適用することによって、PT-RSが送信または受信される1つのDM-RSポートを決定することができる。
【００５９】
DM-RSポートの各々は、ポートインデックスによって一意に識別される場合がある。あらかじめ定義されたルールに従って決定されるDM-RSポートのうちの1つは、最も低い（小さい）ポートインデックスを有するDM-RSポートである可能性がある。
【００６０】
PT-RSは、PT-RSに割り当てられたサブキャリア上のトーンを含み得る。トーンは、同じサブキャリア上の対応するDM-RSポートを通して送信されるDM-RSのトーンに対応し得る。ここで、トーンは1つのサブキャリア又は1つのリソース要素（例えば、1つのOFDMシンボルの持続時間）によって搬送される複素（例えば、フーリエ）係数を含み得る。各OFDMシンボルは、それぞれのサブキャリア上で同時に送信される複数のトーンを含み得る。トーンは、シンボル長の持続時間の間、時間領域における高調波フーリエ成分に対応し得る。代替的に又は追加的に、トーンは1つのREにおける復調を指し得る。
【００６１】
PT-RSは、複数のPRBにおいて送信または受信されてもよい。対応するPRBに対する同じサブキャリアが、PRBの各々においてPT-RSに割り当てられてもよい。さらに、PRBの各々において、同じサブキャリアのサブセットがDM-RSに割り当てられることもある。
【００６２】
送信の波形は、直交周波数分割多重（OFDM）、特にサイクリックプレフィックス(CP)OFDM(CP-OFDM）を含み得る。トーンは、OFDMトーンであってもよい。送信は、PRB当たり複数のOFDMシンボル、例えば、時間領域における1つのスロットを含み得る。各OFDMシンボルは、サブキャリアごとに1つのOFDMトーンを含み得る。
【００６３】
各DM-RSポートは、プリコーダに従って複数のアンテナポートにマッピングされ得る。異なるDM-RSポートは、異なるプリコーダに従ってマッピングされ得る。
【００６４】
一部または各DM-RSポートは、プリコーダに従ってビーム形成（ビームフォーミング）することができる。例えば、無線チャネル上の単一レイヤ（Tx）ビーム形成のために、1つのDM-RSポートが、無線チャネルにアクセスするために使用されてもよい。あるいは、DM-RSポートをアンテナポートにマッピングすることもできる（例えば、1対1の対応または1対多の対応において）。
【００６５】
DM-RS設定タイプ1に従ってDM-RSに割り当てられたサブキャリアのサブセットにおけるサブキャリアの数は、DM-RS設定タイプ2に従ってDM-RSに割り当てられたサブキャリアのサブセットにおけるサブキャリアの数の2倍であってもよい。DM-RS設定タイプ1とDM-RS設定タイプ2のそれぞれに対して、同じサイズのビットフィールドを使用することができる。DM-RS設定タイプ2においてPT-RSに割り当てられたサブキャリアを決定するために、ビットフィールドの最上位ビットは、無視されるか、またはゼロに設定されてもよい。
【００６６】
1つの態様は、RANにおいて、および/または、例えば、RANの無線アクセスノードによって実装されうる。ここで、無線アクセスノードという表現は、RANの基地局またはセルと互換的に使用することができる。無線アクセスノードは、1つ以上の無線デバイスに無線アクセスを提供するように構成された任意の局（ステーション）を包含してもよい。
【００６７】
別の態様によれば、無線アクセスノードと無線デバイスとの間の無線チャネル上で、位相追跡参照信号（PT-RS）のための設定メッセージを受信する方法が提供される。無線チャネルは、物理リソースブロック（PRB）において複数のサブキャリアを含む。PRBにおけるサブキャリアのサブセットは、復調参照信号（DM-RS）に割り当てられる。方法は、無線アクセスノードから設定メッセージを受信するステップを含むか、またはトリガする。設定メッセージは、DM-RSに割り当てられたサブキャリアのサブセットのうち、PT-RSに割り当てられた少なくとも1つのサブキャリアを示すビットフィールドを含む。
【００６８】
PT-RSに割り当てられた1つのサブキャリアは、PT-RSのPT-RSサブキャリアとも呼ばれる。DM-RSに割り当てられるサブキャリアは、DM-RSサブキャリアとも呼ばれる。DM-RSに配分されるサブキャリアのサブセット（すなわち、DM-RSサブキャリアを含むサブセット）は、DM-RSサブセットとも呼ばれる。DM-RSサブセット、PRBにおける複数のサブキャリアの適切なサブセットであるかもしれない。言い換えると、サブセットは、PRBよりも少ないサブキャリアを含み得る。
【００６９】
ビットフィールドの手段により、設定メッセージは例えば、DM-RSに割り当てられた関連するサブキャリアのサブセットに関連して、相対的なオフセットをシグナリングし得る。ビットフィールドによって表されるパラメータまたは機能は、PT-RSのためのサブキャリアオフセットまたはリソース要素オフセット（RE-offset）、または簡単には"PTRS-RE-offset"と呼ばれ得る。この方法は、PT-RSのRE offsetシグナリングとして実施することができる。
【００７０】
PT-RSに使用される実際のサブキャリアは、パラメータ"PTRS-RE-offset"とDM-RSに割り当てられたサブキャリアのサブセットの両方に依存することがある。たとえば、DM-RSポートがDM-RSポート番号によって識別される場合、PT-RSに使用される実際のサブキャリアは、パラメータ"PTRS-RE-offset"とDM-RSポート番号の両方に依存することがある。
【００７１】
さらに、複数の異なるDM-RSが、対応するDM-RSポート上で送信され得る。DM-RSポート番号pは無線チャネルに使用される一連のDM-RSポートのセットの間であり得る。例えば、無線チャネルのチャネル推定を実行するため、および/または、無線チャネルの受信側のデータチャネルとして無線チャネルを復調するために使用される。
【００７２】
スケジューリング制限を回避し、シグナリングオーバーヘッドを低減するために、ビットフィールドの値、すなわち、パラメータ"PTRS-RE-offset"は、特定の送信におけるDM-RSポートに割り当てられるサブキャリアのサブセットにおける相対的サブキャリアインデックスを表す。
【００７３】
パラメータ"PTRS-RE-offset"を設定メッセージのビットフィールドにおける設定パラメータとして送信することによって、少なくともいくつかの実施形態では、スケジューリング制限を回避することができる。なぜならば、可能なPT-RSサブキャリアのグループが、PT-RSポートに関連付けられるDM-RSポートに、割り当てられる、または、スケジュールされることによって使用される、サブキャリアのサブセットに制限されるからである。
【００７４】
同じ実施形態（例えば、前述の段落の実施形態）または更なる実施形態は、"PTRS-RE-offset"の共通の指示をDLおよびULに使用することができるので、既存のオフセット信号よりも著しく少ない信号オーバーヘッドを必要とすることがある。また、SU-MIMOにおける異なるPT-RSポートにも共通インジケーションを使用することができる。
【００７５】
ビットフィールドは、DM-RSに割り当てられたサブキャリアのサブセットのうち、PT-RSに割り当てられた少なくとも1つのサブキャリアを示すnビットを含むことができる。PRB内の複数のサブキャリアの数は、2nより大きくてもよい。
【００７６】
DM-RSに割り当てられるサブキャリアのサブセットは、動的にシグナリングされることができるかもしれない。
【００７７】
ビットフィールドは、DM-RSに割り当てられたサブキャリアのサブセットのうち、PT-RSに割り当てられた少なくとも1つのサブキャリアを示す2または3ビットを含むことができる。PRBにおける複数のサブキャリアの数は、12であってもよい。
【００７８】
ビットフィールドは、PT-RSに割り当てられたサブキャリアとして、DM-RSに割り当てられたサブキャリアのサブセットにおけるサブキャリアのいずれかを表すためのサイズにすることができる。
【００７９】
ビットフィールドは、nビットを含むことができる。DM-RSに割り当てられたサブキャリアのサブセットにおけるサブキャリアの数は、2n以下であってもよい。
【００８０】
DM-RSに割り当てられたサブキャリアのサブセットにおける各サブキャリアは、インデックスによって一意的に特定されることがある。ビットフィールドは、PT-RSに割り当てられたサブキャリアに対応するインデックスを示すことができる。
【００８１】
無線チャネルは、1つ以上のDM-RSポートを介してアクセスすることができる。DM-RSは、DM-RSの各ポートを介して送信または受信され得る。DM-RSに割り当てられたサブキャリアのサブセットは、対応するDM-RSポートに依存する場合がある。
【００８２】
PT-RSに割り当てられるサブキャリアは、PT-RSのアップリンク送信とPT-RSのダウンリンク送信の少なくとも1つについて、ビットフィールドから導出することができる。
【００８３】
1つ以上のDM-RSポートのそれぞれは、DM-RSポートインデックスによって一意に識別される場合がある。DM-RSの各伝送（簡単には:DM-RS送信）は、DM-RSポートインデックスと定義することも、関連付けることもできる。
【００８４】
1つ以上のDM-RSポートは、無線チャネルの送信側に配置されても（またはそれを定義しても）よい。1つ以上のDM-RSポートは、無線アクセスノードによってダウンリンク送信のために使用されてもよい（例えば、そこに配置され得る）。代替として、または追加として、1つ以上のDM-RSポートは、アップリンク送信のために、無線デバイスによって使用され得る（例えば、そこに配置され得る）。
【００８５】
代替的に又は追加的に、1つ以上のDM-RSポートは、無線チャネルの受信側に配置されてもよい（又は定義されてもよい）。例えば、送信側は当初、DM-RSを送信することによってDM-RSポートを定義することができ、受信側は、受信したDM-RSに基づいてビームフォーム受信のための組合せ重みを定義することができる。1つ以上のDM-RSポートは、アップリンク受信のために無線アクセスノードによって使用されてもよい（例えば、そこに配置され得る）。代替として、または追加として、1つ以上のDM-RSポートはダウンリンク送信のために、無線デバイスによって使用され得る（例えば、そこに配置され得る）。
【００８６】
無線チャネル上の送信は、1つまたは複数のレイヤ（空間ストリームとも呼ばれる）を備えることができる。レイヤの数は、無線チャネルを通じた送信に使用されるDM-RSポートの数と同じになることがある。無線チャネルは、送信側（すなわち、MIMOチャネルの入力）でDM-RSポートを通してアクセスされ、任意に複数の送信機アンテナにマッピングされ、受信機側（すなわち、MIMOチャネルの出力）でアンテナによって形成される複数の受信機ポートを通して受信される、多入力多出力（MIMO）チャネルであってもよい。
【００８７】
複数の送信されたレイヤは、送信プリコーダによって空間および/または偏波領域において分離され、チャネル推定を実行することによって受信機において分離され、任意選択で、受信側で受信されたDM-RSおよび/またはPT-RSに基づいて、無線チャネルのための干渉レイヤの抑制を実行することによって受信機において分離され得る。例えば、送信は2つ以上のレイヤが2つ以上のDM-RSポートを介してアクセスされてもよい、マルチレイヤシングル（単一）ユーザMIMO（SU-MIMO）送信であってもよい。
【００８８】
DM-RSは、送信側でプリコーディング（事前符号化）し、受信側で無線チャネルを復調する少なくとも1つのために使用することができる。
【００８９】
DM-RSに割り当てられるサブキャリアのサブセットは、対応するDM-RSポートに依存する場合がある。各DM-RSポートについて、PRBにおけるサブキャリアのサブセットは、対応するDM-RSポートを通してDM-RS送信された（または送信される）DM-RSに割り当てることができる。すなわち、DM-RSに割り当てられるサブキャリアのサブセットが、各DM-RSポートに関連付けられる。異なるDM-RSポートを介してDM-RSを送信するために使用されるサブキャリアのサブセットのうちの少なくともいくつかは、異なる可能性がある。例えば、異なるサブセットは、相互にばらばらであってもよい。
【００９０】
PRBは、インデックスｋ∈｛0, ...,11｝によって与えられる12個のサブキャリアを含むことができる。DM-RSポートpを介して送信されているDM-RSに割り当てられたサブキャリアのサブセットは、
2021503805.tif 000008
により与えられ、ここで、R=1，2又は3；S=1又は2；及びオフセットΔ(p)はDM-RSポートpに依存する。
【００９１】
DM-RS設定タイプ1の場合、パラメータは、R=2、S=2、およびΔ(p)∈｛0,1｝とすることができる。DM-RS設定タイプ2の場合、パラメータは、R=3、S=1、およびΔ(p)∈｛0,2,4｝であってもよい。上記のセットの式において、上限"11"はNRBSC - 1に置き換えられてもよく、上限"6/R"はNRBSC／(2R)に置き換えられてもよい。
【００９２】
DM-RSはシーケンスr(2・m + k'+ n0)から導出されてもよく、ここで、n0 = NstartBWP,iNRBsc/R、NstartBWP,iは、PRBの単位におけるキャリア帯域幅部分の始まりであり、NRBsc = 12はPRB当たりのサブキャリアの数である。
【００９３】
DM-RSポートごとに異なるDM-RSを送信できる。異なるDM-RS（例えば、直交信号）が異なるDM-RSポート上で送信されるので、"DM-RS"に対する任意の依存性は、対応する"DM-RSポート"に対する依存性として等しく表現され得る。
【００９４】
異なるDM-RSポートを介して送信されるDM-RSは、周波数領域における直交カバーコード、時間領域における直交カバーコード、およびDM-RSに割り当てられたサブキャリアのサブセットのうちの少なくとも1つによって区別され得る。
【００９５】
例えば、異なるDM-RSポートを介して送信されるDM-RSの各々は、サブキャリアのばらばらのサブセットを使用するか、または周波数領域において直交符号化され得る。
【００９６】
DM-RSポートの1つがPT-RSに関連付けられている場合がある。PT-RSは、PT-RSに関連付けられたDM-RSポートを通して送信または受信され得る。PT-RSは、1つのDM-RSポートを介して送信されるDM-RSに割り当てられたサブキャリアのサブセットのうち、ビットフィールドによってPT-RSに割り当てられたサブキャリア上で送信または受信され得る。
【００９７】
PT-RSおよびDM-RSは（例えば、OFDMシンボルまたは異なるPRB、すなわち、異なるスロットまたは送信時間隔、TTIにおいて）同時にまたは別々に送信され得る。さらに、PT-RSの送信とDM-RSの送信とが重複してもよい。PT-RSの送信持続時間はDM-RSの送信持続時間よりも長くてもよい（例えば、複数倍長くてもよい）。例えば、PT-RSは、14個のOFDMシンボルを含む1つのPRBの間に送信または受信されてもよい。DM-RSは、1つまたは2つのOFDMシンボルの間に送信されてもよい。
【００９８】
PT-RSに割り当てられるサブキャリアは、PT-RSのアップリンク送信とPT-RSのダウンリンク送信の少なくとも1つについて、ビットフィールドから導出または導出可能であり得る。
【００９９】
無線アクセスノードは、無線デバイスへのダウンリンク送信のために、DM-RSポートを介して無線チャネルにアクセスするように構成されてもよい。方法は、対応するDM-RSポートのためにDM-RSに割り当てられたサブキャリアのサブセットの中のビットフィールドに従って、PT-RSに割り当てられたサブキャリア上のDM-RSポートのうちの少なくとも1つを介して送信または受信されたPT-RSを受信するステップをさらに含むか、またはトリガすることができる。
【０１００】
代替的に又は追加的に、無線デバイスは、無線アクセスノードへのアップリンク送信のために、DM-RSポートを介して無線チャネルにアクセスするように構成されてもよい。方法は、対応するDM-RSポートのためにDM-RSに割り当てられたサブキャリアのサブセットの中のビットフィールドに従って、PT-RSに割り当てられたサブキャリア上のDM-RSポートのうちの少なくとも1つを介してPT-RSを送信または受信するステップをさらに含むか、またはトリガすることができる。
【０１０１】
PT-RSが送信または受信されるDM-RSポートは、PT-RSポートとも呼ばれることもある。表現"PT-RS"は、異なるDM-RSポート（ポート固有のPT-RS）上で送信または受信される異なるPT-RSを集合的に指すことができる。代替的に又は追加的に、表現"PT-RS"は例えば、特定のPT-RSポートの文脈において、ポート固有のPT-RSを指すことができる。
【０１０２】
無線アクセスノードは、無線チャネル上の少なくとも1つの無線デバイスに無線アクセスを提供してもよい。各無線デバイスについて、PT-RSは、1つまたは2つのDM-RSポートのそれぞれを介して送信または受信され得る。
【０１０３】
無線チャネルは、2つ以上のDM-RSポートを介してアクセスされるシングルユーザ多入力多出力（SU-MIMO）チャネルで構成されることができる。PT-RSは、2つ以上のDM-RSポートのうちの少なくとも2つのポートの各々で送信または受信されてもよい。無線チャネルは、2つ以上のレイヤおよび/または2つ以上のDM-RSポートを備えることができる。PT-RSは、2つ以上のレイヤの各々に対して、または2つ以上のDM-RSポートの各々を介して送信または受信されてもよい。
【０１０４】
無線チャネルは、マルチユーザ多入力多出力（MU-MIMO）チャネルを構成することができる。DM-RSポートの異なるDM-RSグループは、異なる無線デバイスへのアクセスを提供し得る。PT-RSは、各DM-RSグループにおける少なくとも1つのDM-RSポートを介して送信または受信され得る。
【０１０５】
MU-MIMOチャネルは、複数の無線デバイスの各々に対して、少なくとも1つのレイヤ又は少なくとも1つのDM-RSポートを備えることができる。複数の無線デバイスのそれぞれについて、PT-RSは、少なくとも1つのレイヤ上で、または少なくとも1つのDM-RSポートを介して送信または受信され得る。
【０１０６】
PT-RSに割り当てられるサブキャリアは、設定メッセージにおけるビットフィールドと、PT-RSが送信または受信されるDM-RSポートとの組合せに基づいて、DM-RSに割り当てられるサブキャリアのサブセットの中で一意に決定されてもよい。
【０１０７】
ビットフィールドの同じ値は、異なるDM-RSポートを介して送信または受信されたPT-RSに割り当てられた異なるサブキャリアを示すことができる。
【０１０８】
ビットフィールドは、DM-RSに割り当てられたサブキャリアのサブセットのうち、PT-RSのための2つ以上の候補サブキャリアを示すことができる。PT-RSに割り当てられるサブキャリアは、PT-RSが送信または受信されるDM-RSポートに基づいて、例えば、DM-RSポートインデックスpの関数として、またはPT-RSが送信または受信されるDM-RSポートに基づいて、候補サブキャリアの中から決定されてもよい。
【０１０９】
DM-RSポートpを介して送信または受信されるPT-RSに割り当てられるサブキャリアは、2・R・m＋S・k'＋Δ(p)で与えられる。ビットフィールドは、mを示すことができる。k'の値は、DM-RSポートpによってp mod 2に決定されることがある。
【０１１０】
PT-RSは、少なくとも2つの異なるDM-RSポートのそれぞれを介して送信または受信され得る。代替的に、又は、組み合わせて、PT-RSは、アップリンク送信とダウンリンク送信のそれぞれにおいて送信または受信することができる。
【０１１１】
DM-RSポートpを通して送信されるDM-RSは、時間領域における直交カバーコード（OCC）に従うことができる（TD-OCC）。代替的に又は追加的に、DM-RSポートpを通して送信されるDM-RSは、周波数領域におけるOCC（FD-OCC）に従うことができる。PT-RSに割り当てられたサブキャリアは、ビットフィールドと、TD-OCCのDM-RSポート依存性と、FD-OCCのDM-RSポート依存性との組合せに基づき、DM-RSに割り当てられたサブキャリアのサブセットの中から決定されることができる。組合せは、合計を含むことができる。
【０１１２】
例えば、TD-OCCのDM-RSポート依存性は、DM-RSポートpに対して、
2021503805.tif 000009
を含み得る。代替的に、又は、組み合わせて、FD-OCCのDM-RSポート依存性は、DM-RSポートpに対して、
2021503805.tif 000010
を含み得る。
【０１１３】
ここで、Rは、DM-RS設定タイプ1については2に等しくてもよく、DM-RS設定タイプ2については3に等しくてもよい。
【０１１４】
TD-OCCは、
2021503805.tif 000011
に従った係数（例えば符号）を含み得る。
代替的に、又は、組み合わせて、FD-OCCは
2021503805.tif 000012
に従った係数（例えば符号）を含み得る。
【０１１５】
設定メッセージは、PT-RSが送信または受信される各DM-RSポートについて、対応するDM-RSポートを介して送信されるDM-RSに割り当てられたサブキャリアのサブセットのうちの、PT-RSに割り当てられたサブキャリアを示すビットフィールドのインスタンスを含み得る。
【０１１６】
PT-RSは、DM-RSポートの1つを介して送信または受信され得る。1つのDM-RSポートは、あらかじめ定義されたルールに従って決定され得る。例えば、DM-RSポートは、2つ以上のばらばらな（互いに素な）DM-RSグループにグループ化されてもよく、PT-RSはDM-RSグループの各々におけるDM-RSポートのうちの1つを介して送信または受信されてもよい。1つのDM-RSポートは、DM-RSグループの各々に適用される、あらかじめ定義されたルールに従って決定され得る。
【０１１７】
PT-RSが送信または受信される1つのDM-RSポートは、設定メッセージで指定されていない可能性がある。無線アクセスノードと無線デバイスのそれぞれは、あらかじめ定義されたルールを個別に適用することによって、PT-RSが送信または受信される1つのDM-RSポートを決定することができる。
【０１１８】
DM-RSポートの各々は、ポートインデックスによって一意に識別される場合がある。あらかじめ定義されたルールに従って決定されるDM-RSポートのうちの1つは、最も低い（小さい）ポートインデックスを有するDM-RSポートである可能性がある。
【０１１９】
PT-RSは、PT-RSに割り当てられたサブキャリア上のトーンを含み得る。トーンは、同じサブキャリア上の対応するDM-RSポートを通して送信されるDM-RSのトーンに対応し得る。ここで、トーンは1つのサブキャリア又は1つのリソース要素（例えば、1つのOFDMシンボルの持続時間）によって搬送される複素（例えば、フーリエ）係数を含み得る。各OFDMシンボルは、それぞれのサブキャリア上で同時に送信される複数のトーンを含み得る。トーンは、シンボル長の持続時間の間、時間領域における高調波フーリエ成分に対応し得る。代替的に又は追加的に、トーンは1つのREにおける復調を指し得る。
【０１２０】
PT-RSは、複数のPRBにおいて送信または受信されてもよい。対応するPRBに対する同じサブキャリアが、PRBの各々においてPT-RSに割り当てられてもよい。さらに、PRBの各々において、同じサブキャリアのサブセットがDM-RSに配分されることもある。
【０１２１】
送信の波形は、直交周波数分割多重（OFDM）、特にサイクリックプレフィックス(CP)OFDM(CP-OFDM）を含み得る。トーンは、OFDMトーンであってもよい。送信は、PRB当たり複数のOFDMシンボル、例えば、時間領域における1つのスロットを含み得る。各OFDMシンボルは、サブキャリアごとに1つのOFDMトーンを含み得る。
【０１２２】
各DM-RSポートは、プリコーダに従って複数のアンテナポートにマッピングされ得る。異なるDM-RSポートは、異なるプリコーダに従ってマッピングされ得る。
【０１２３】
一部または各DM-RSポートは、プリコーダに従ってビーム形成（ビームフォーミング）することができる。例えば、無線チャネル上の単一レイヤ（Tx）ビーム形成のために、1つのDM-RSポートが、無線チャネルにアクセスするために使用されてもよい。あるいは、DM-RSポートをアンテナポートにマッピングすることもできる（例えば、1対1の対応または1対多の対応において）。
【０１２４】
DM-RS設定タイプ1に従ってDM-RSに割り当てられたサブキャリアのサブセットにおけるサブキャリアの数は、DM-RS設定タイプ2に従ってDM-RSに割り当てられたサブキャリアのサブセットにおけるサブキャリアの数の2倍であってもよい。DM-RS設定タイプ1とDM-RS設定タイプ2のそれぞれに対して、同じサイズのビットフィールドを使用することができる。DM-RS設定タイプ2においてPT-RSに割り当てられたサブキャリアを決定するために、ビットフィールドの最上位ビットは、無視されるか、またはゼロに設定されてもよい。
【０１２５】
他の方法の態様は、任意の1つの方法の態様の文脈で開示された任意の特徴またはステップをさらに含むことができる。さらに、他の方法の態様は、1つの態様の特徴またはステップのうちのいずれか1つに対応する特徴またはステップを備えることができる。
【０１２６】
他の方法の態様は、例えば、RANにおいて、1つ以上の無線デバイスによって実行されてもよい。無線デバイスまたは各無線デバイスは、ユーザ装置（UE）であってもよい。
【０１２７】
システムの態様については、無線アクセスノードと無線デバイスとの間の無線チャネル上の位相追跡参照信号（PT-RS）の設定メッセージを送受信する方法が提供される。無線チャネルは、物理リソースブロック（PRB）における複数のサブキャリアを含む。PRBにおけるサブキャリアのサブセットは、復調参照信号（DM-RS）に割り当てられる。方法は、設定メッセージを無線デバイスに送信するステップを含むか、またはトリガする。設定メッセージは、DM-RSに割り当てられたサブキャリアのサブセットのうち、PT-RSに割り当てられた少なくとも1つのサブキャリアを示すビットフィールドを含む。方法は、無線アクセスノードから設定メッセージを受信するステップをさらに含むか、またはトリガする。設定メッセージは、DM-RSに割り当てられたサブキャリアのサブセットのうち、PT-RSに割り当てられた少なくとも1つのサブキャリアを示すビットフィールドを含む。
【０１２８】
他のシステムの態様については、無線アクセスノードと無線デバイスとの間の無線チャネル上の位相追跡参照信号（PT-RS）の設定メッセージを送受信するシステムが提供される。無線チャネルは、物理リソースブロック（PRB）における複数のサブキャリアを含む。PRBにおけるサブキャリアのサブセットは、復調参照信号（DM-RS）に割り当てられる。システムは、設定メッセージを無線デバイスに送信するステップを実行またはトリガするように構成される。設定メッセージは、DM-RSに割り当てられたサブキャリアのサブセットのうち、PT-RSに割り当てられた少なくとも1つのサブキャリアを示すビットフィールドを備える。システムはさらに、無線アクセスノードから設定メッセージを受信するステップを実行またはトリガするように構成される。設定メッセージは、DM-RSに割り当てられたサブキャリアのサブセットのうち、PT-RSに割り当てられた少なくとも1つのサブキャリアを示すビットフィールドを含む。
【０１２９】
システムは、無線アクセスノードおよび無線デバイスの少なくとも1つによって具現化されてもよい。
【０１３０】
任意の態様では、無線デバイスは、（例えば、サイドリンク上で）ピアツーピア通信のために、および/またはRAN(例えば、アップリンク、UL、および/またはダウンリンク、DL）にアクセスするために構成され得る。無線デバイスはユーザ装置（UE、例えば、3GPP UE)、モバイルまたはポータブルステーション（STA、例えば、Wi-Fi STA)、マシンタイプ通信（MTC）のためのデバイス、またはそれらの組み合わせであり得る。UEとモバイルステーションの例には、携帯電話とタブレットコンピューターが含まれる。ポータブルステーションの例には、ラップトップコンピューターやテレビが含まれる。MTCデバイスの例には、例えば、製造、自動車通信、およびホームオートメーションにおけるロボット、センサーおよび/またはアクチュエータが含まれる。MTCデバイスは、家庭用電化製品および家電製品に実装され得る。組み合わせの例には、自動運転車、ドア相互通信システム、現金自動預け払い機が含まれる。
【０１３１】
基地局の例としては、3G基地局又はノードB、4G基地局又はeNodeB、5G基地局又はgNodeB、アクセスポイント（例えば、Wi-Fiアクセスポイント）及びネットワークコントローラ（例えば、Bluetooth、ZigBee又はZ-Waveによる）が挙げられる。
【０１３２】
RANは、GSM(移動通信のためのグローバルシステム)、UMTS(ユニバーサル移動通信システム)、LTE（ロングタームエボリューション）、および/またはNR(New Radio)に従って実装され得る。
【０１３３】
この技術は、無線通信のためのプロトコルスタックの物理層（PHY）、媒体アクセス制御（MAC）層、無線リンク制御（RLC）層および/または無線リソース制御（RRC）層上に実装することができる。
【０１３４】
別の態様については、コンピュータプログラム製品が提供される。コンピュータプログラム製品は、コンピュータプログラム製品が1つ以上のコンピューティングデバイスによって実行されるときに、本明細書で開示される方法の態様のステップのいずれか1つを実行するためのプログラムコード部分を含む。コンピュータプログラム製品は、コンピュータ可読記録媒体に格納されてもよい。コンピュータプログラム製品はデータネットワークを介して、例えば、RANを介して、および/またはインターネットおよび/または基地局を介して、ダウンロードするために提供されてもよい。代替的または追加的に、方法は、フィールドプログラマブルゲートアレイ（FPGA）および／または特定用途向け集積回路（ASIC）にエンコードされてもよく、またはハードウェア記述言語によるダウンロードのために機能が提供されてもよい。
【０１３５】
1つのデバイス態様は、1つの方法の態様を実行するように構成されたデバイスに関する。代替として、または追加として、デバイスは、1つの方法の態様の任意のステップを実行するように構成されたユニットまたはモジュールを備えることができる。別のデバイス態様は、他の方法の態様を実行するように構成されたデバイスに関する。代替的に又は追加的に、デバイスは、他の方法の態様の任意のステップを実行するように構成されたユニットまたはモジュールを備えることができる。
【０１３６】
さらに、方法の態様のそれぞれについて、デバイスは、少なくとも1つのプロセッサおよびメモリを備えることができる。当該メモリは、当該少なくとも1つのプロセッサによって実行可能な命令を含み、それによって、デバイスは、対応する方法の態様を実行するように動作可能である。
【０１３７】
デバイス（または本技術を具現化するための任意のノードまたはステーション）は、方法の態様の文脈で開示される任意の特徴をさらに含むことができる。特に、ユニットおよびモジュールのうちのいずれか1つ、または専用のユニットまたはモジュールは、方法の態様のうちのいずれか1つのステップのうちの1つまたは複数を実行またはトリガするように構成され得る。
【図面の簡単な説明】
【０１３８】
技術の実施形態の更なる詳細は、添付の図面を参照して説明される。
【図１】位相追従参照信号用の設定メッセージを送信するデバイスの概略ブロック図を示す。
【図２】位相追跡参照信号に対する設定メッセージを受信するデバイスの概略ブロック図を示す。
【図３】図1のデバイスによって実施可能な、位相追跡参照信号のための設定メッセージを送信する方法のフローチャートを示す。
【図４】図2のデバイスによって実施可能な、位相追跡参照信号のための設定メッセージを受信する方法のフローチャートを示す。
【図５】図1および図2のデバイスの実施形態の例示的な展開を概略的に示す。
【図６】異なる復調参照信号ポートのためのリソース要素の割り当てのための第1の例を概略的に示す。
【図７】異なる復調参照信号ポートのためのリソース要素の割り当てのための第2の例を概略的に示す。
【図８】位相追跡参照信号のためのリソース要素の有効な割り当ての例を概略的に示す。
【図９】位相追跡参照信号に対するリソース要素の無効な割り当ての例を概略的に示す。
【図１０】図1のデバイスの第1の実施形態の概略ブロック図を示す。
【図１１】図1のデバイスの第2の実施形態の概略ブロック図を示す。
【図１２】図2のデバイスの第1の実施形態の概略ブロック図を示す。
【図１３】図2のデバイスの第2の実施形態の概略ブロック図を示す。
【発明を実施するための形態】
【０１３９】
以下の説明では、限定ではなく説明の目的で、本明細書で開示される技術の完全な理解を提供するために、特定のネットワーク環境などの特定の詳細が示される。これらの特定の詳細から逸脱する他の実施形態でこの技法を実施できることは、当業者には明らかであろう。さらに、以下の実施形態は主に5G New Radio(NR)実装について説明されるが、本明細書で説明される技術は、3GPP LTEまたはその後継を含む任意の他の無線ネットワーク、標準ファミリIEEE 802.11による無線ローカルエリアネットワーク（WLAN）、Bluetooth Special Interest Group(SIG)によるBluetooth、特にBluetooth Low EnergyおよびBluetoothブロードキャスト、および/またはIEEE 802.15.4に基づくZigBeeにおいても実装され得ることが容易に明らかである。
【０１４０】
さらに、本明細書で説明する機能、ステップ、ユニット、およびモジュールは、プログラムされたマイクロプロセッサ、特定用途向け集積回路（ASIC）、フィールドプログラマブルゲートアレイ（FPGA）、デジタルシグナルプロセッサ（DSP）または汎用コンピュータ（例えばアドバンストRISCマシン（ARM）を含む）と連携して機能するソフトウェアを使用して実装できることを当業者は理解するであろう。また、以下の実施形態は主に方法およびデバイスに関連して説明されるが、本発明は、コンピュータプログラム製品ならびに少なくとも1つのコンピュータプロセッサおよびメモリに接続されたメモリを含むシステムにおいても具現化できることも理解されよう。メモリは、機能およびステップを実行するか、または本明細書で開示されるユニットおよびモジュールを実装することができる1つ以上のプログラムで符号化（エンコード）される。
【０１４１】
図1は、無線アクセスノードと無線デバイスとの間の無線チャネルにおいて位相追跡参照信号（PT-RS）のための設定メッセージを送信するデバイスのブロック図を模式的に示したものである。デバイスは、一般的に参照符号100で示されている。無線チャネルは、物理リソースブロック（PRB）において複数のサブキャリアを含む。PRBにおけるサブキャリアのサブセットは、復調参照信号（DM-RS）に割り当てられる。デバイス100は、設定メッセージを無線デバイスに送信する設定送信モジュール102を備える。設定メッセージは、DM-RSに割り当てられたサブキャリアのサブセットのうち、PT-RSに割り当てられた少なくとも1つのサブキャリアを示すビットフィールドを含む。
【０１４２】
デバイス100は、RANに接続されてもよく、および/または、RANの一部であってもよい。デバイス100は、無線アクセスノード（例えば、RANの基地局）、基地局を制御するためにRANに接続されたノード、またはそれらの組み合わせによって、またはそれらにおいて具現化されてもよい。
【０１４３】
任意選択で、デバイス100は、設定に従ってPT-RSを送信、受信、および処理することのうちの少なくとも1つのためのPT-RSモジュール104を備える。代替的に又は追加的に、デバイス100は、DM-RSを送信し処理する少なくとも1つのためのDM-RSモジュール106を備える。PT-RSモジュール104は、DM-RSモジュール106の機能またはサブモジュールであってもよい。
【０１４４】
デバイス100のモジュールのいずれも、対応する機能を提供するように構成されたユニットによって具現化され得る。
【０１４５】
図2は、無線アクセスノードと無線デバイスとの間の無線チャネルにおいて位相追跡参照信号（PT-RS）の設定メッセージを受信するデバイスのブロック図を模式的に示したものである。デバイスは、一般的に参照符号200で示されている。無線チャネルは、物理リソースブロック（PRB）内に複数のサブキャリアを含む。PRBにおけるサブキャリアのサブセットは、復調参照信号（DM-RS）に割り当てられる。デバイス200は、無線アクセスノードから設定メッセージを受信する設定受信モジュール202を備える。設定メッセージは、DM-RSに割り当てられたサブキャリアのサブセットのうち、PT-RSに割り当てられた少なくとも1つのサブキャリアを示すビットフィールドを含む。
【０１４６】
デバイス200は、無線デバイスによって、または無線デバイスにおいて具現化され得る。
【０１４７】
任意選択で、デバイス200は、設定に従ってPT-RSを送信すること、受信すること、および処理することのうちの少なくとも1つのためのPT-RSモジュール204を備える。代替的または追加的に、デバイス200は、DM-RSを送信し処理する少なくとも1つのモジュールであるDM-RSモジュール206を備える。PT-RSモジュール204は、DM-RSモジュール206の機能またはサブモジュールであってもよい。
【０１４８】
デバイス200のモジュールのいずれも、対応する機能を提供するように構成されたユニットによって具現化され得る。
【０１４９】
ここで、無線アクセスノードは、ネットワークコントローラ（例えば、Wi-Fiアクセスポイント）またはセルラ−無線アクセスノード（例えば、3GノードB、4GノードBまたは5GノードB）を含むことができる。無線アクセスノードは、無線デバイスに無線アクセスを提供するように構成してもよい。代替的に又は追加的に、無線デバイスは、モバイル又はポータブルステーション、ユーザ装置（UE）、特にマシンタイプ通信デバイス（MTC）及び狭帯域モノのインターネット（narrowband Internet of Things（NB-IoT））デバイスを含むことができる。無線デバイスの2つ以上のインスタンスは、例えばアドホック無線ネットワーク内で、または3GPPサイドリンクを介して、互いに無線接続するように構成されてもよい。
【０１５０】
図3は、無線アクセスノードと無線デバイスとの間の無線チャネルにおいてPT-RSのための設定メッセージを送信する方法300のフローチャートを示す。無線チャネルは、（例えば、各)PRBにおいて複数のサブキャリアを備える。PRB内のサブキャリアのサブセットは、DM-RSに割り当てられる。方法300のステップ302において、設定メッセージが無線デバイスに送信される。設定メッセージは、DM-RSに割り当てられたサブキャリアのサブセットのうち、PT-RSに割り当てられた少なくとも1つのサブキャリアを示すビットフィールドを含む。
【０１５１】
ここで、"PT-RSに割り当てられた（割り当てられる）サブキャリア"は、PT-RSを送信するために使用されるか、またはPT-RSを送信するためにスケジュールされるサブキャリアを包含することができる。さらに、"PT-RSに割り当てられたサブキャリア"は、2つ以上の候補サブキャリアを包含することができ、そのうちの1つは最終的にPT-RSに割り当てられる（例えば、PT-RSのために使用またはスケジュールされる）サブキャリアを包含することができる。例えば、"PT-RSに割り当てられたサブキャリア"はゼロ電力PT-RSを包含することができ、すなわち、サブキャリアはPT-RSサブキャリアであるが、無線アクセスノード（例えば、gNB）は当該PT-RSサブキャリア上で何も送信していない。このPT-RSサブキャリアは、別の無線アクセスノード（例えば、別のgNB）によって使用されてもよい。これにより、当該サブキャリア上での干渉を回避することができる。
【０１５２】
任意選択（オプション）で、ステップ304において、PT-RSは、ビットフィールドに従って、PT-RSに割り当てられたサブキャリアにおいて処理され、送信され、および/または受信される。
【０１５３】
割り当てられたサブキャリアは、PT-RSが送信されるDM-RSポートにさらに依存し得る。例えば、PT-RSに割り当てられたサブキャリアのインデックスは、ビットフィールドとDM-RSポートのインデックスの両方の関数であってもよい。本明細書で開示される任意の実施形態と互換性がある一実施形態では、ビットフィールドがDM-RSに割り当てられたサブキャリアのサブセットの中からPT-RSに割り当てられたサブキャリアを一意に決定することができる。開示される任意の実施形態に対応する別の実施形態では、ビットフィールド単独ではDM-RSに割り当てられるサブキャリアのサブセット内で、PT-RSのサブキャリアを示すことはできない。PT-RSを送信するために使用されるDM-RSポートへのさらなる依存は後者のあいまいさを排除し、したがってポートインデックスとビットフィールドの組合せはPT-RSのためのサブキャリアを一意的に決定する。
【０１５４】
ステップ304と同時に行うことができるステップ306では、DM-RSが処理され、送信され、および/または受信される。代替的に又は追加的に、無線アクセスノードは、無線デバイスにおける、および/または、無線デバイスへのDM-RSの設定に対する変更をシグナリングし得る。
【０１５５】
方法300は例えば、（例えば、RANのための）無線アクセスノードにおいて、または無線アクセスノードを使用して、デバイス100によって実行され得る。例えば、モジュール102、104、および106は、それぞれステップ302、304、および306を実行し得る。
【０１５６】
図4は、無線アクセスノードと無線デバイスとの間の無線チャネル上でPT-RSのための設定メッセージを受信する方法400のフローチャートを示す。無線チャネルは（例えば、各)PRBにおける複数のサブキャリアを備える。PRBにおけるサブキャリアのサブセットは、DM-RSに割り当てられる。方法400のステップ402において、設定メッセージは、無線アクセスノードから受信される。設定メッセージは、DM-RSに割り当てられたサブキャリアのサブセットのうち、PT-RSに割り当てられた少なくとも1つのサブキャリアを示すビットフィールドを含む。
【０１５７】
任意選択で、ステップ404において、PT-RSは、ビットフィールドに従って、PT-RSに割り当てられたサブキャリア上で処理され、送信され、および/または受信される。例えば、PT-RSに割り当てられたサブキャリアは、ステップ404において、ビットフィールドと、オプションとして、PT-RSが送信されるDM-RSポートとに基づいて決定されてもよい。
【０１５８】
無線デバイスは、ステップ406でアクセスノードから受信した設定メッセージまたは別の設定に従って、DM-RSを処理、送信、および/または受信することができる。
【０１５９】
方法400は例えば、無線デバイスにおいて、または無線デバイスを使用して、デバイス200によって実行され得る。例えば、モジュール202、204、および206は、それぞれステップ402、404、および406を実行し得る。
【０１６０】
図5は、本技術を実装するための例示的な環境500、たとえばスタンドアロンまたはセルラー無線アクセスネットワーク（RAN）を概略的に示す。環境500は、デバイス100および200の実施形態の間にそれぞれ複数の無線チャネル502を備える。図5の環境500では、デバイス100は、デバイス200を具現化する少なくとも1つの無線デバイス512に無線アクセスを提供するか、または無線通信を制御する、少なくとも1つの基地局または無線アクセスノード510によって具現化される。無線アクセスノード510と無線通信502を行う全ての無線デバイス512がデバイス200を具現化する必要はない。
【０１６１】
NRでは、受信機が位相ノイズ関連エラー（誤差）を修正するために、位相追跡参照信号（PT-RS）をダウンリンクおよびアップリンク送信用に設定することができる。PT-RS設定は、UE固有であり、送信に使用されるDM-RSポートのうちの1つにPT-RSが関連付けられていることが合意される。これは、DM-RSとその関連するPT-RSは、同じプリコーダを使用して送信され、どのようなDM-RSシーケンスが設定されているにもかかわらず、PT-RSに使用される変調シンボルがDM-RSから取られることを意味する。それは、PT-RSシーケンスはDM-RSから借りることから、PT-RSシーケンスの具体的な設定がないことを意味する。
【０１６２】
UEは、PDSCH DM-RSが上位層パラメータDL-DM-RS-config-typeによって与えられるように、タイプ1またはタイプ2に従って物理リソースにマッピングされると仮定する。
【０１６３】
UEは、リソース要素（RE）がPDSCH送信のために割り当てられるリソース内にあるという条件の下で、次式に従ってシーケンス r(m) が物理リソース要素にマッピングされると仮定する。
2021503805.tif 000013
機能（関数）wf(k')、wt(l')、およびΔは、文書3GPP TX 38.211（例えば、バージョン1.0.0）のセクション7.4の表（テーブル）7.4.1.1.2-1及び表7.4.1.1.2-2によるDM-RSポートp又は以下の例示的な表による。
【０１６４】
サブキャリアラベルkの基準点は、帯域部分のうち最小番号のサブキャリアに対応して K=0 で物理下りリンク共有チャネル（PDSCH）が送信されるキャリア帯域部分iの開始（先頭）である。
【０１６５】
オフセットn0は、
2021503805.tif 000014
により与えられる。ここで、NstartBWP,iは、物理アップリンク共有チャネル（PUSCH）が送信されるキャリア帯域幅部分の開始である。
【０１６６】
時間領域（TD）では、lに対する基準点と最初のDM-RS記号の位置l0は、マッピングタイプに依存する。PDSCHマッピングタイプAについては、lは、スロットの開始に関連して定義され、上位レイヤパラメータDL-DMRS-typeA-posが3に等しい場合、l0=3であり、それ以外の場合にl0=2であると定義される。PDSCHマッピングタイプBについては、lは、スケジュールされたPDSCHリソースの開始に関連して定義され、l0=0である。
【０１６７】
文書3GPP TS 38.211（例えば、バージョン1.0.0）のセクション7.4の表7.4.1.1.2-3および7.4.1.1.2-4、または、以下の例示的な表に従って、追加DM-RSシンボルの1つ以上の位置は、l~と、スロットにおけるPDSCHに使用された最後のOFDMシンボルとによって与えられる。
【０１６８】
時間領域インデックスl'およびサポートされるアンテナポートpは、文書3GPP TS 38.211（例えば、バージョン1.0.0）のセクション7.4の表7.4.1.1.2-5、または、以下の例示的な表によって与えられる。上位層パラメータDL-DMRS-lenが1の場合、単一（シングル）シンボルDM-RS が使用される。単一シンボルDM-RSと二重（ダブル）シンボルDM-RSのどちらを使用するかは、上位層パラメータDL-DMRS-lenが2の場合、関連するDCIによって決定される。
2021503805.tif 000015
2021503805.tif 000016
2021503805.tif 000017
2021503805.tif 000018
2021503805.tif 000019
【０１６９】
図6及び図7に、単一の前倒し（front-loaded）ケースのDM-RS設定タイプ1と2の異なるDM-RSポートのマッピングを示す。いくつかの実施形態では、PT-RSは、時間領域においてDM-RSのための直交カバーコード、すなわち、DM-RSのためのTD-OCCを使用するときに、スケジュールされない。そのような実施形態では、PT-RSは、DM-RS設定タイプ1のためのDM-RSポート1004〜1007、およびDM-RS設定タイプ2のためのポート1006〜1011を使用するときに送信されない。
【０１７０】
周波数領域におけるPT-RSのマッピングに関して、3GPPは、各PT-RSポートがPRBあたり最大で1つのサブキャリアでスケジュール（予定）されていることに同意した。また、PT-RSポートに使用されるサブキャリアは、PT-RSポートに関連付けられたDM-RSポートにも使用されるサブキャリアの1つでなければならないことが合意された。
【０１７１】
図8は、時間606におけるリソース要素（RE）604及び周波数608（例えば、サブキャリアの単位）のグリッド（格子）（例えば、OFDMシンボルの単位）を含む、PRB 602における無線リソース割り当て600のための例を概略的に示す。図8に概略的に示される割り当て600は、DM-RSと比較してPT-RSの異なる持続時間および密度を示すために、時間領域（TD）606も含むが、この技術は、周波数領域（FD）、すなわちサブキャリアkにおける割り当て600を制限する設定メカニズムによって、実装することができる。
【０１７２】
PRB 602の持続時間は、1つのスロット610に対応し得る。
【０１７３】
PT-RSへのサブキャリアの例示的な割り当て600は有効である。言い換えれば、PT-RSに割り当てられたサブキャリアは、DM-RSに割り当てられたサブキャリアのサブセットにあるので、RE604へのPT-RSのマッピングは許可される。対照的に、図9に概略的に示される例示的な割り当て600は、許可されたPT-RSマッピングではない。
【０１７４】
したがって、（DM-RS設定タイプ1におけるように）繰り返し係数(RPF)R=2を有するDM-RSのために櫛型（comb-based）構造が使用される場合、DM-RSは2番目毎のサブキャリアにマッピングされ、すなわち、DM-RSに割り当てられたサブキャリアのサブセットは、PRB 602における2番目毎のサブキャリアのみを包含する。その結果、この技術は、本例PRB 602における12のサブキャリアのうちのサブセットにおける6つのDM-RSサブキャリアのうちの1つにのみPT-RSがマッピングされることを確実にする。
【０１７５】
NRでは、PRBは12個のサブキャリアを有する。したがって、PRB 602のサブキャリアのセットは｛0, 1, 2, 3, 4, 5, 6, 7, 8, 9, 10, 11｝である。既存の解決策では、"PTRS-RE-offset"をセットの任意の値に設定できる。しかしながら、この解決策は、PT-RSポートがPT-RSポートに関連付けられたDM-RSポートによって使用されるサブキャリアのサブセットのサブキャリアにマッピングされない、サポートされないケースにつながる可能性がある。例えば、DM-RSポート1000に関連付けられたPT-RSを有するDM-RS設定タイプ１、およびポート1000がサブキャリア｛0, 2, 4, 6, 8, 10, 12｝または｛0, 2, 4, 6, 8, 10｝またはすべての偶数サブキャリアにマッピングする場合、RRCによって1, 3, 5, 7, 9または11のいずれかに等しくなるように設定された"PTRS-RE-offset"は、スケジューリング制限を暗示するサポートされないケースにつながる得る。
【０１７６】
RRC層によって構成される従来の"PTRS-RE-offset"が1, 3, 5, 7, 9または11のいずれかに等しい場合、DM-RS設定タイプ1のためのDM-RSポート｛1002、1003、1006、1007｝のみが、PDSCHまたはPUSCHのために使用されることができ（これらのDM-RSポートは上記の表7.4.1.1.2-1に従ってサブキャリアオフセットΔ=1を有するので）、これはスケジューリング制限である。
【０１７７】
以下の表1および表2は、それぞれDM-RS設定タイプ1および2に対する従来のパラメータ"PTRS-RE-offset"の既存の符号化を表す。さらに、最後の列は、従来の"PTRS-RE-offset"の対応する値がサポートされる場合につながるDM-RSポートのグループを示す。
【０１７８】
既存の符号化では、従来の"PTRS-RE-offset"を表すために4ビットが必要である。以下の表1は、DM-RS設定タイプ1に対する従来の"PTRS-RE-offset"の既存の符号化のためのビットマップの概要を示す。
2021503805.tif 000020
【０１７９】
同様に、以下の表2に、DM-RS設定タイプ2の従来の"PTRS-RE-offset"の既存の符号化のためのビットマップの概要を示す。
2021503805.tif 000021
【０１８０】
本技術は、PT-RSに関連付けられたDM-RSポートによって使用されるか、またはそれに割り当てられたサブキャリアのサブセットにおける要素のうちの1つに対する相対的インデックスを生成するために使用されるか、または使用可能なパラメータ"PTRS-RE-offset"（すなわち、ビットフィールド）を送信することによって、（たとえば、従来のパラメータの既存の符号化と比較して）シグナリングオーバーヘッドを低減することができる。
【０１８１】
本明細書で説明される任意の実施形態は、以下の特徴のうちの少なくとも1つを実装することができる。PRB 602内のDM-RSポートpによって使用される（またはそれに割り当てられる）サブキャリアのサブセットSpが定義される。Spの要素の1つに対する相対的インデックスは、IRelとして表される。相対的インデックスは、ビットフィールドPTRS-RE-offsetの関数（機能）と、任意選択で、ポート番号pに従って定義される（例えば、生成または導出される）。
IRel = f(PTRS-RE-offset, p). 
【０１８２】
PT-RSサブキャリアはSp(IRel)によって決定され、ここでSp（・）はアレイなどの順序付けされたサブセットSpを表す。
【０１８３】
DM-RSポートに対するサブキャリアのサブセットSpは、DM-RS設定タイプ1、2の場合、それぞれ、単一シンボルDM-RSのケースに対して、以下の表3、表4に示す。
【０１８４】
表3は、単一シンボルDM-RSを想定したDM-RS設定タイプ1に対するサブキャリアのサブセットを示している。サブセットはDM-RSポートpに依存する。
2021503805.tif 000022
【０１８５】
表4は、単一シンボルDM-RSを想定したDM-RS設定タイプ2に対するサブキャリアのサブセットを示している。サブセットはDM-RSポートpに依存する。
2021503805.tif 000023
【０１８６】
本明細書に記載の任意の実施形態で実装することができる第1の変形例では、ビットフィールドが相対的インデックスを示す。第1の変形例は、PT-RSにより使用されるサブキャリアを設定する際に、基地局またはネットワークに完全な柔軟性を提供し得る。
【０１８７】
完全なインジケーションの柔軟性のために、相対的インデックスはビットフィールドとして使用されてもよく、すなわち、関数は、
2021503805.tif 000024
となり得る。
【０１８８】
したがって、相対的インデックスは固定であり、RRC設定されたパラメータPTRS-RE-offsetに等しくなる。相対的インデックスは、関連するDM-RSポートに動的に依存しない。
【０１８９】
相対的インデックスは、特定のPDSCHまたはPUSCHスケジューリングに使用されるDM-RSポートで使用されるサブキャリアの中からサブキャリアを選択する。データスケジューリングに複数のDM-RSポートが使用される場合、PT-RSポートが最も低いインデックスを持つDM-RSポートに関連付けられるなど、あらかじめ定義されたルールが使用される。
【０１９０】
それぞれのDM-RS設定タイプについて表3および表4で定義されたサブセットに基づいて、ビットフィールド値、すなわち相対的インデックスPTRS-RE-offsetは、PRBにおけるPT-RSに対するサブキャリアを示し得る。サブセットは所与のDM-RSポートに対して完了するので、第1の変形例による符号化は、DM-RSポートに対して対応するPT-RSサブキャリアを設定するときに完全な柔軟性を提供する。制限なしに、技術に従った符号化は、DM-RS設定タイプ1と2について、それぞれ表5と表6に示されている。
【０１９１】
第1の変形例を実装する例を以下に示す。DM-RSポート1000（S1000 =｛0, 2, 4, 6, 8, 10を有する） およびPTRS-RE-offset = 2 （すなわち、バイナリ表現では010）に関連付けられたPT-RSポートがRRCシグナリングを使用してUEに設定されている場合、PT-RSは、サブキャリアS1000(2) = 4にマッピングされる。DM-RSポート1000，1001，1002および1003が使用されるMIMO送信が使用される場合、最小のインデックス付きDM-RSポート（この場合、1000）は、説明されたルール（すなわち、表3または4）に従ってPT-RSポートのためのサブキャリアを決定するために使用されるという、あらかじめ定義されたルールが適用される。
【０１９２】
複数のDM-RSグループが設定される場合、手順は、DM-RSグループごとに適用され、したがって、1つのPT-RSサブキャリアがDM-RSグループごとに選択される。
【０１９３】
PDSCHを受信する場合、UEはPT-RSがこのサブキャリアに存在すると仮定し、PUSCHを送信する場合、UEはPT-RS送信のために割り当てられたPRBにおいて、このサブキャリアでPT-RSを送信すべきである。
【０１９４】
第1の変形例の実施形態は、RRCシグナリングオーバーヘッドを3ビットに低減することができる。また、パラメータ"PTRS-RE-offset"はどのDM-RSポートでも使用できるため、下りリンク（DL）と上りリンク（UL）では"PTRS-RE-offset"の共通表示を使用することができる。したがって、DLとULでは"PTRS-RE-offset"の共通インジケーション（指標/表示）を適用することができる。シグナリングオーバーヘッドは既存の符号化に関して低減され、および/または、ULおよびDLのために別個に本技術を実装することに関してさらに低減される。
【０１９５】
さらに、RRCシグナリングは（使用されるDM-RSポートに依存して）PT-RSがどのサブキャリアにマッピングされ得るかを制御することができるので、第1の変形例はDCサブキャリアを回避するように実装され得る。
【０１９６】
DM-RS設定タイプ1と2に対して調和シグナリングを持つために、DM-RS設定タイプ2については、相対的インデックスを生成するためにPTRS-RE-offsetの2 LSB(例えば、最下位2ビット）のみが使用される。その結果、PTRS-RE-offset、すなわちビットフィールド、に対する値および/または共通サイズ（または信号フォーマット）は、DM-RS設定タイプ1および2の両方と共に使用することができる。さらに、設定メッセージ、すなわちPTRS-RE-offsetパラメータは、送信で使用されるDM-RS設定タイプを変更するときに、再び送信されたり、シグナリングされたりする必要はない（例えば、ビットフィールドの設定タイプ依存フォーマットに準拠するために）。
【０１９７】
ただし、1以上のスケジュールされたPT-RSポートを持つSU-MIMOケースでは、PT-RSポートごとにPTRS-RE-offsetの独立インジケーションが必要である。その主な理由は、複数のPT-RSポートがサブキャリアの同じサブセットを持つDM-RSポートに関連付けられるのであれば、共通のPTRS-RE-offsetインジケーションを用いて、複数のPT-RSポートは同じサブキャリアにマッピングされるからである（PT-RSポート間の高いレベルの干渉を意味する）。したがって、独立インジケーションが必要である。
【０１９８】
以下の表5は、本技術の実装として、ビットフィールド、すなわち第1列におけるパラメータ"PTRS-RE-offset"、から導出されたサブキャリアインデックス（すなわち、PRBにおける実際のインデックスであり、サブセットにおける相対的インテックスではない）を表す。表5は、パラメータ"PTRS-RE-offset"に基づく完全な柔軟性のための符号化メカニズムとして実装されてもよい。
【０１９９】
限定なしで、以下の表5は、DM-RS設定タイプ1および単一シンボルDM-RSを想定している。
2021503805.tif 000025
【０２００】
以下の表6は、本技術の実装として、ビットフィールド、すなわち第1列におけるパラメータ"PTRS-RE-offset"、から導出されたサブキャリアインデックスを表す。表6は、パラメータ"PTRS-RE-offset"に基づく完全な柔軟性のための符号化メカニズムとして実装されてもよい。
【０２０１】
以下の表6は、パラメータ"PTRS-RE-offset"におけるMBS(例えば、最上位ビット）が無視されるように、より小さいサブセットを有するDM-RS設定タイプに関する。限定なしで、表6は、DM-RS設定タイプ2と単一シンボルDM-RSを想定している。
2021503805.tif 000026
【０２０２】
本明細書で説明される任意の実施形態で実装され得る第2の変形例では、ビットフィールドが、柔軟性が低減された相対的インデックスを示す。
【０２０３】
シグナリングオーバーヘッドをさらに低減し、SU-MIMOのためにスケジュールされた全てのPT-RSポートに対して"PTRS-RE-offset"の共通インジケーションを使用することができるようにするために、相対的インデックスを生成するための代替メカニズム（すなわち、第2の変形例で適用される機能）が定義されてもよい。
【０２０４】
例えば、第2の変形例による関数の例は、
2021503805.tif 000027
であり、ここで、offsetpは、DM-RSポートpによって使用されるOCC値に関連するパラメータである。
したがって、相対的インデックスは、スケジューリングのために選択された1つ以上のDM-RSポートにも動的に依存する。
【０２０５】
DM-RSポートpに対するoffsetpの値は、offsetp = p mod 2として得ることができる。式2の関数は、インジケーションの柔軟性を低減させる。なぜなら、すべてのPT-RSポートをどのサブキャリアにマッピングできるわけではないからである。しかしながら、柔軟性のこの低減は例えば、基地局510またはRANが、任意のPT-RSポートに対するDCサブキャリアを回避するために依然として有効であるため、性能に影響を及ぼさない。
【０２０６】
offsetpパラメータは、同じコム（comb／櫛状部）を持つが異なるOCCを持つDM-RSポートに関連付けられた2つのPT-RSポートが同じPTRS-RE-offsetの値に対して異なるサブキャリアにマッピングされるようにする。したがって、SU-MIMOのPTRS-RE-offsetの共通インジケーションが有効になる（つまり、PT-RSポート数が1より多い場合）。代替的に又は加えて、2つ以上のUE512が同じPTRS-RE-offsetパラメータ（例えば、RRCによる）で設定されている場合には、2つ以上のUE512は各DM-RSポートがPT-RSを固有のサブキャリアにマップすることが保証されるので、MU-MIMOスケジューリング（例えば、それぞれDM-RSポート1000及び1001）の各々において単一のレイヤで依然としてスケジュールすることができる。
【０２０７】
以下の表7と表8に、DM-RS設定タイプ1および2に対する異なるDM-RSポートに対するoffsetpの値を示す。前述の表および式2の関数に基づいて、相対的インデックスを生成する。第2の変形例の実施形態が以下の表9および表10に示されており、それぞれDM-RS設定タイプ1および2における、PTRS-RE-offsetの符号化およびDM-RSポートに対する対応するPT-RSサブキャリアの概要が表されている。
【０２０８】
第2の変形例を実装する例を以下に示す。PT-RSポートがDM-RSポート1000（S1000=｛0, 2, 4, 6, 8, 10｝とoffset1000= 0を有する）に関連付けられていて、PTRS-RE-offset = 2の場合、PT-RSはサブキャリアS1000(2・2+0) = 8にマッピングされる。
【０２０９】
以下の表7は、DM-RSポートpの関数としてのオフセットpを示している。限定なしで、表7では、DM-RS設定タイプ1を想定している。
2021503805.tif 000028
【０２１０】
以下の表8は、DM-RSポートpの関数としてのオフセットpを示している。限定なしで、表7では、DM-RS設定タイプ2を想定している。
2021503805.tif 000029
【０２１１】
第2の変形例の実装を以下の表9に示す。PT-RSに対するサブキャリアは、ビットフィールドにおけるインジケーションとDM-RSポートp、すなわちオフセットpの組合せから導出される。表9は、"PTRS-RE-offset"を符号化および復号化するためのメカニズムとして実装され得る。以下の表9は、限定なしで、DM-RS設定タイプ1および単一シンボルDM-RSを想定している。表9を調べると、各DM-RSポートがPT-RSを一意のサブキャリアにマッピングすることが分かる。
2021503805.tif 000030
【０２１２】
前の実施形態と組み合わせることができる第2の変形例のさらなる実施形態を、以下の表10に示す。PT-RSに対するサブキャリアは、ビットフィールドにおけるインジケーションとDM-RSポートp、すなわちオフセットpの組合せから導出される。以下の表10は、より小さいサブセットを持つDM-RS設定タイプに適用される。したがって、ビットフィールドのMSBは無視される。
【０２１３】
以下の表10は、"PTRS-RE-offset"を符号化および復号化するためのメカニズムとして実装され得る。表10は、限定なしで、DM-RS設定タイプ2と単一シンボルDM-RSを想定している。表10を調べると、各DM-RSポートがPT-RSを一意のサブキャリアにマッピングすることが分かる。
2021503805.tif 000031
【０２１４】
第2の変形例の実装は、必要とされるオーバーヘッドを2ビットに低減することができる。さらに、第2の変形例は、任意のDM-RSポートを用いてパラメータ"PTRS-RE-offset"の任意の値を使用することを可能にするので、DLおよびULに対して共通のインジケーションを使用することができる。また、2つ以上のPT-RSがスケジュールされているSU-MIMOの場合、PTRS-RE-offsetの単一のインジケーション（例えば、ビットフィールドの単一の送信）は、異なるDM-RSポートに関連付けられたPT-RSポートに対して異なるサブキャリアを提供することができ、したがって、オフセットの既存の使用に関するオーバーヘッドが低減する。
【０２１５】
DM-RS設定タイプ1および2に対する調和シグナリングを持つために、DM-RS設定タイプ2については、相対インデックスを生成するためにPTRS-RE-offsetの1 LSB(例えば、最下位1ビット）のみが使用される。その結果、パラメータPTRS-RE-offset（すなわちビットフィールド）に対する値は、DM-RS設定タイプ1および2の両方に使用するか、または適用することができる。例えば、送信で使用されるDM-RS設定タイプを変更するときに、PTRS-RE-offsetに新たにシグナリングする必要がない。
【０２１６】
明確さのため、また限定されることなく、時間領域における符号（コード／コーディング）を適用しないDM-RSポートについては、上記の実施形態および変形例が説明されている。以下の実装は、そのような時間符号、例えば時間領域における直交カバーコード（TD-OCC）を適用するDM-RSポートで、相対的インデックスに柔軟性を与える。以下の実施は、本明細書に記載される任意の他の実施形態または変形例と組み合わせることができる。
【０２１７】
PTRS-RE-offsetシグナリングを、PT-RSとともにDM-RSに適用した場合と両立させるために（すなわち、DM-RSタイプ1の場合はポート1004−1007、サブ6シナリオに対するDM-RSタイプ2の場合はポート1006−1011）、相対的インデックスを決定するためのさらなる関数ｆを提供する。この関数は、TD-OCCなしのDM-RSポートの第2の変形例で説明したような相対的インデックスを生成するために、実行することができる。すなわち、以下の実装は、適切なDM-RSポートについて、上記の第2の変形例と互換性がある可能性がある。
【０２１８】
DM-RSタイプ1のための例示的な関数は、
2021503805.tif 000032
である。ここで、FD_offsetpは、DM-RSポートpで使用される周波数領域OCC(FD-OCC)の値に関連するパラメータである。パラメータTD_offsetpは、DM-RSポートpで使用されるTD-OCC値に関連する。したがって、相対的インデックスは、スケジューリングのために選択されたDM-RSポートにも動的に依存する。
【０２１９】
より具体的には、限定するものではないが:
2021503805.tif 000033
である。
【０２２０】
以下の表11および表12では、提示された方式を使用したPTRS-RE-offset、すなわちビットフィールド、の符号化が示されている。
【０２２１】
DM-RSタイプ2の例示的な関数は、
2021503805.tif 000034
である。ここで、FD_offsetpはDM-RSポートpで使用されるFD-OCC値に関連するパラメータであり、TD_offsetpはDM-RSポートpで使用されるTD-OCC値に関連するパラメータである。
【０２２２】
FD_offsetpおよびTD_offsetpの同様の定義を適用できる。例えば、
2021503805.tif 000035
である。
【０２２３】
したがって、関数ｆによって生成される相対的インデックスは、スケジューリングのために選択された1つ以上のDM-RSポートにも動的に依存する。以下の表13と表14では、提示された方式を用いたビットフィールド、すなわちPTRS-RE-offset、の符号化を示している。
【０２２４】
DM-RSタイプ1および2のための方式は、異なるDM-RSポートのための異なるPT-RSサブキャリアを提供する。
【０２２５】
以下の表11は、ポート1000〜1003に対する2つのDM-RSシンボルを想定したDM-RS設定タイプ1に対する"PTRS-RE-offset"の符号化の概要である。各DM-RSポートは、PT-RSを一意のサブキャリアにマッピングすることが分かる。
2021503805.tif 000036
【０２２６】
以下の表12は、ポート1004〜1008に対する2つのDM-RSシンボルを想定したDM-RS設定タイプ1に対する"PTRS-RE-offset"の符号化の概要である。各DM-RSポートは、PT-RSを一意のサブキャリアにマッピングすることが分かる。
2021503805.tif 000037
【０２２７】
以下の表13は、ポート1000〜1005に対する2つのDM-RSシンボルを想定したDM-RSタイプ2に対する"PTRS-RE-offset"の符号化の概要である。各DM-RSポートは、PT-RSを一意のサブキャリアにマッピングすることが分かる。
2021503805.tif 000038
【０２２８】
以下の表14は、ポート1006〜1011に対する2つのDM-RSシンボルを想定したDM-RSタイプ2に対する"PTRS-RE-offset"の符号化の概要である。各DM-RSポートは、PT-RSを一意のサブキャリアにマッピングすることが分かる。
2021503805.tif 000039
【０２２９】
図10は、デバイス100の実施形態の概略ブロック図を示す。デバイス100は、方法300を実行するための1つまたは複数のプロセッサ1004と、プロセッサ1004に結合されたメモリ1006とを備える。例えば、メモリ1006は、少なくともモジュール102を実装する命令で符号化されてもよい。
【０２３０】
1つまたは複数のプロセッサ1004は、マイクロプロセッサ、コントローラ、マイクロコントローラ、中央処理装置、デジタル信号プロセッサ、特定用途向け集積回路、フィールドプログラマブルゲートアレイ、または任意の他の適切なコンピューティングデバイス、リソース、またはハードウェア、マイクロコード、および/またはエンコードされたロジックの組合せのうちの1つまたは複数の組合せとすることができ、これらは、単独で、またはメモリ1006、基地局、および/または無線アクセス機能などのデバイス100の他の構成要素と併せてのいずれかで提供するように動作可能である。例えば、1つ以上のプロセッサ1004は、メモリ1006に記憶された命令を実行してもよい。そのような機能は、本明細書で開示される利点のいずれかを含む、本明細書で説明される様々な特徴およびステップを提供することを含み得る。「アクションを実行するように動作しているデバイス」という表現は、アクションを実行するように構成されているデバイス100を示し得る。
【０２３１】
図10に概略的に示されるように、デバイス100は、例えばRANの基地局510によって具現化されてもよい。基地局510は1つまたは複数の無線デバイスとの無線チャネルのために、デバイス100に結合または接続された無線インターフェース1002を備える。基地局510またはデバイス100は、無線インターフェース1002を介して1つまたは複数の無線デバイスと通信することができる。
【０２３２】
変形例では、例えば、図11に概略的に示されるように、デバイス100の機能は（例えば、RANまたはRANにリンクされたコアネットワーク内の）別のノードによって提供される。すなわち、ノードは方法300を実行する。装置100の機能性はノードによって基地局510に、例えば、インターフェース1002または専用の有線または無線インターフェースを介して提供される。
【０２３３】
図12は、デバイス200の実施形態の概略ブロック図を示す。デバイス200は、方法400を実行するための1つまたは複数のプロセッサ1204と、プロセッサ1204に結合されたメモリ1206とを備える。例えば、メモリ1206は、少なくともモジュール202を実装する命令で符号化されてもよい。
【０２３４】
1つまたは複数のプロセッサ1204はマイクロプロセッサ、コントローラ、マイクロコントローラ、中央処理装置、デジタル信号プロセッサ、特定用途向け集積回路、フィールドプログラマブルゲートアレイ、または任意の他の適切なコンピューティングデバイス、リソース、またはハードウェア、マイクロコード、および/またはエンコードされたロジックの組合せのうちの1つまたは複数の組合せであってもよく、これらは単独で、またはメモリ1206、無線デバイス、および/または端末機能などのデバイス200の他の構成要素と併せてのいずれかで提供するように動作可能である。例えば、1つ以上のプロセッサ1204は、メモリ1206に記憶された命令を実行してもよい。そのような機能は、本明細書で開示される利点のいずれかを含む、本明細書で説明される様々な特徴およびステップを提供することを含み得る。「アクションを実行するように動作しているデバイス」という表現は、アクションを実行するように構成されているデバイス200を示し得る。
【０２３５】
図12に概略的に示すように、デバイス200は無線デバイス512、例えば、RANによって具現化することができる。無線デバイス512は1つまたは複数の無線アクセスノードを有する無線チャネルのために、デバイス200に結合または接続された無線インターフェース1202を備える。無線デバイス512またはデバイス200は、無線インターフェース1202を介して、1つ以上の無線アクセスノードと通信することができる。
【０２３６】
変形例では、例えば、図13に概略的に示されるように、デバイス200の機能は（例えば、RANまたはRANにリンクされたコアネットワーク内の）別のノードによって提供される。すなわち、ノードは方法200を実行する。デバイス200の機能性はノードによって無線デバイス512に、例えば、インターフェース1202または専用の有線または無線インターフェースを介して提供される。
【０２３７】
上記の説明から明らかになるように、本医術の実施形態は、制御シグナリングのより低いシグナリングオーバーヘッドを可能にする。DL及びULに対して"PTRS-RE-offset"を独立インジケーションは必要はない。代替的に又は組み合わせて、SU-MIMOにおける全てのスケジュールされたPT-RSポートに対して"PTRS-RE-offset"の独立インジケーションは必要ない。
【０２３８】
同じまたはさらなる実施形態は、スケジューリング制限、例えばPTRS-RE-offsetとスケジュールされたDM-RSポートとの間の非互換性を回避することができる。
【０２３９】
さらに、周波数分割多重（FDM）の手段によるPT-RSポート（すなわち、異なったDM-RSポートを介して送信されるPT-RS）間の直交性は、オフセットパラメータ（すなわち、ビットフィールド）に対する1つの値のみが複数のPT-RSポートに対して送信される場合であっても達成され得る。
【０２４０】
設定メッセージは、発振器の品質、キャリア周波数、OFDMサブキャリア間隔、および送信に使用される変調および符号化方式（MCS）に応じて、PT-RSを設定することを可能にすることができる。
【０２４１】
本発明の多くの利点は、前述の説明から完全に理解され、本発明の範囲から逸脱することなく、本発明の範囲から逸脱することなく、および／またはその利点のすべてを犠牲にすることなく、ユニットおよびデバイスの形態、構造、および配置に様々な変更を加えることができることは明らかであろう。本発明は多くの方法で変更することができるため、本発明は添付の特許請求の範囲によってのみ制限されるべきであることが認識されるであろう。
【０２４２】
さらに、本技術は、「提案」として説明されるものを含む、さらなる実施形態（ポートインデックス"p"は"x"によって示され得る）の以下の説明に従って、独立して、または任意の前述の実施形態、実装または変形例と組み合わせて実装され得る。
【０２４３】
3GPP TSG RAN WG1 会議 91
レノ、米国、2017年11月27日〜12月1日
出典:  エリクソン
タイトル:  ＰＴＲＳ設計の残りの詳細
アジェンダ項目:  7.2.3.4
書類:  審議・決定
―――――――――――――――――――――――――――――――――――――――
１  序文
ＲＡＮ１−９０ｂｉｓでは、以下の合意がなされた:
2021503805.tif 000040
この寄与において、位相雑音関連誤差を推定し、補償し、周波数オフセット推定をサポートするために使用される、位相追跡参照信号（ＰＴＲＳ）の設計に関連する異なる側面を論じた。
―――――――――――――――――――――――――――――――――――――――
２  議論
この寄与は２つの主要なセクションに分けられ、１つはＣＰ−ＯＦＤＭ波形（ＤＬおよびＵＬの両方について）のためのＰＴＲＳ設計のオープンな問題に焦点を当て、第２のものはＤＦＴ−Ｓ−ＯＦＤＭ波形のために設計されたＰＴＲＳのオープンな問題に焦点を当てる。
２．１ＣＰ-ＯＦＤＭのＰＴＲＳ設計
２．２．２  ＰＴＲＳ時間/周波数の関連付け表
以前のＲＡＮ１会議ではＰＴ−ＲＳ毎、２番目毎、４番目毎のＯＦＤＭシンボル毎、２番目毎に１ ＰＴＲＳサブキャリア、４番目毎の周波数密度をサポートすることが合意された。スケジュールされたＢＷが小さい送信では、正確な位相雑音推定を得るために（［１］に示されているように）、また正確な周波数オフセット推定を得るために（［２］に示されているように）、周波数領域でより密なＰＴＲＳが必要である。したがって、ＰＲＢ毎に１つのＰＴＲＳサブキャリアの周波数密度をサポートすることも重要であると考えられる。
2021503805.tif 000041
また、選択されたＰＴＲＳ設定は表１および表２（すなわち、スケジュールされたＭＣＳに関連する時間密度およびスケジュールされたＢＷに関連する周波数密度）を使用して選択されるべきであることが合意された。しかしながら、筆者らは［３］で提示した評価結果においてＰＴ−ＲＳ時間密度は符号化率とは独立に選択できる、すなわち、ＰＴＲＳ時間密度が変調方式（ＱＰＳＫ,１６ＱＡＭ,６４ＱＡＭおよび２５６ＱＡＭ）のみに関連する場合には十分であることを示した。 
これを達成するために、我々は、符号レートの粒度を必要としないので、ＭＳＣ関連付けが変調方式のみを使用して行われる表２を単純化することを提案する。したがって、ＭＣＳは、ＭＣＳ=１ がＱＰＳＫ、ＭＣＳ=２ が１６ＱＡＭ などの変調コンスタレーションのみを選択できる。
このアプローチの重要な利点の１つは、複数のＭＣＳ表が定義されるため、単一の関連付け表を異なるＭＣＳ表で使用できることである（これまで、ＮＲ[４］に２つの異なるＭＣＳ 表を使用することに合意されている）。また、この提案は、予約されたＭＣＳエントリの特別な処理を必要とせず、設計を単純化する。
2021503805.tif 000042
２．１．２  時間/周波数領域におけるＰＴＲＳデフォルト設定
デフォルト設定としてＰＴ−ＲＳは、全てのＯＦＤＭシンボル及び全ての他のＰＲＢにマッピングされることが合意された。このデフォルト設定がすべてのスケジュールされたＢＷおよびＭＣＳに使用されるべきかどうか、すなわちＰＴＲＳが常にオンであるかどうかを決定するのはＦＦＳであった。［５］に提示された評価から、ＰＴＲＳが低ＭＣＳおよび小さなスケジュールされたＢＷに対する位相雑音効果を補償するために、どのように必要とされないかが分かる。しかしながら、ＰＴＲＳは例えば、［７］（サブ６またはｍｍＷａｖｅのいずれか）に示されるようなフロントロードＤＭＲＳによるＵＬ送信およびｍｍＷａｖｅ(ＴＲＳが過度に高いオーバーヘッドを必要とする可能性がある場合）に対するＤＬ送信において、周波数オフセット推定を実行するために、場合によっては使用され得る。
これらの場合、周波数オフセット推定の要件のために、ＰＴＲＳは、低いＭＣＳおよび小さいスケジュールされたＢＷに対してさえオンであるべきである。従って、位相ノイズと周波数オフセット補償要件の両方を満たすために、ＤＬとＵＬの両方に対して、ＰＴＲＳが常にオンであるデフォルト関連付け表を用いることを提案した。
キャリア当たりのＲＢの最大数は、ＮＲでは２７５であるので、値２７６を使用して、スケジュールされたＢＷの取得不可能な閾値を示すことができる。
2021503805.tif 000043
デフォルト設定がＰＴＲＳが常に送信されることを意味しないので、ＰＴＲＳが常にオンであることを明確にすることが重要であり、ＲＲＣ信号は、必要なときにＰＴＲＳ送信をアクティブ化または非アクティブ化するために使用され得る。ＰＴＲＳの存在に関連する重要な詳細は、それぞれの場合が異なる要件を有するので、ＤＬおよびＵＬに対して独立であるべきであるということである。例えば、サブ６シナリオでは、位相ノイズの影響は重要ではなく、周波数オフセットの追跡はＴＲＳによって行われるので、ＰＴＲＳはＤＬでは必要とされない。ただし、周波数オフセット補償を行うには、ＵＬ 用のサブ６でＰＴＲＳ が必要である。したがって、著者らは、ＤＬおよびＵＬに対するＰＴＲＳ存在のＲＲＣによる独立した指示を有することを提案する。
2021503805.tif 000044
２．１．３  閾値のＲＲＣシグナリング
ＵＥはデフォルトの閾値を無効にするために、関連付け表内の閾値についてＲＲＣ信号値によって示唆することができることは、以前に合意されていた。閾値の信号に関しては、２つの重要な側面が研究されるべきである:閾値に対してどの値が許容されるか（例えば、スケジュールされたＢＷに対して２７５の可能なし閾値の柔軟性が必要であるか？）、およびこれらの許容された閾値を効率的な方法でどのように符号化するか。
２．１．３．１  周波数密度の関連付け表
最初に、スケジュールされたＢＷとＰＴＲＳ周波数密度との間の関連付け表の閾値（表１）に焦点を当てる。この表では、各閾値が特定の数のＰＲＢに設定される。ＮＲでは、最大のスケジュールされたＢＷがＸ=２７５ ＰＲＢ[６］であり、完全な柔軟性のある選択で、表内の各閾値はベクトルS=[0,1,2,3,4,…,X,"Inf"]から任意の値をとることができ、ここで、「Ｉｎｆ」の代わりに「２７６」を使用することもできる。完全な柔軟性を有する選択はそれぞれの閾値を符号化するために９ビットを必要とし、この手段、３つの閾値を符号化するために２７ビットが必要とされる。しかしながら、このような柔軟な選択は［１］に示された評価に見られるように、閾値がとる値が通常制限されるので、いかなる利点も提供しない。複雑さとシグナリングオーバーヘッドを低減するために、閾値に対する許容値の数が制限されているところで、低減した柔軟性選択を提案した。
好ましいオプションは閾値の値をＲＢＧサイズのＰＲＢ倍数の数に制限することであり、すなわち、閾値は、ベクトルS=[0,RBG,2*RBG,3*RBG…,Y*RBG,Inf],から任意の値をとることができる。ここで
2021503805.tif 000045
である。ＲＢＧ=４ の場合、S=[0,4,8,16, … , 272, Inf]であり、これは７０の要素を含む（１つの閾値を符号化するには７ビット、３つの閾値を符号化するには２１ビットが必要である）。
2021503805.tif 000046
ビットマップ符号化の代わりに効率的な符号化が使用される場合、シグナリングオーバーヘッドのさらなる低減が達成可能である。これは、すべての利用可能なＲＢの設定から限定されたＲＢの設定が選択されるＬＴＥにおけるＥＰＤＣＣＨ構成のために使用される。 
ビットマップ符号化を使用すると、各閾値は任意の値を取ることができるため、各閾値を符号化するために必要なビット数は
2021503805.tif 000047
になる。ここで、NはベクトルSの長さである。しかしながら、符号化を改善するために、閾値間の相対関係、即ちptrsthRB0≦ ptrsthRB1≦ ptrsthRB2を利用できる。
したがって、前の関係を考慮して、アルゴリズム１において、関連付け表内の閾値のセットのための効率的な符号化方式を提案する。
2021503805.tif 000048
表５では、完全な、および、低減された柔軟性の選択、ならびにビットマップおよび効率的な符号化を使用して、周波数密度関連付け表のための閾値のセットを符号化するためのオーバーヘッドの比較を示す。提案された符号化を使用して、オーバーヘッドが、完全な柔軟性および柔軟性の低減された選択の両方のために５ビット低減され、２つの方法を組み合わせることによって、シグナリングオーバーヘッドを２７ビットから１６ビットに低減する方法を見ることができる。
したがって、提案された符号化はＬＴＥにおいてＥＰＤＣＣＨに対して行われたものと同様に、関連付け表の閾値を効率的に符号化するために採用されるべきである。
2021503805.tif 000049
２．１．３．２  時間密度の関連付け表
ＣＰ-ＯＦＤＭ を使用したＮＲ が変調方式ＱＰＳＫ、１６ＱＡＭ、６４ＱＡＭ、２５６ＱＡＭ をサポートしているため、このような表の閾値は、ベクトルS =[０, １, ２, ３, ４, Inf]の値の１つに設定される。 
2021503805.tif 000050
関連付け表のための３つの閾値を効率的に符号化するために、周波数密度のための関連付け表のために提案された同じ符号化方式を使用することができる。表６に、ビットマップ符号化および提案された符号化方式を使用して、閾値のセットをシグナリングするために必要なオーバーヘッドを示す。提案した符号化で達成されたオーバーヘッド低減は重要であり、従って、それはＮＲのために採用されるべきである。
2021503805.tif 000051
２．１．４  ＰＴＲＳのＲＢレベルオフセット
ＲＡＮ１はＰＴ−ＲＳをマッピングするためにスケジュールされたＲＢの中からＲＢを選択するためのＲＢレベルオフセットをサポートすることに同意した。また、Ｃ-ＲＮＴＩからのオフセットを暗黙のうちに導き出すことに合意したが、それを厳密に行うことはできなかった。Ｃ−ＲＮＴＩとＲＢレベルオフセットとの間の暗黙の関連付け規則を設計するために、異なる密度に対して最大オフセットが異なることを考慮すべきである。したがって、４番目のＰＲＢ ごとに１ＰＴＲＳ サブキャリアの周波数密度の場合、ＲＢ オフセットの最大値は３で、２番目のＰＲＢごとに１、ＰＲＢごとに０ になる。従って、Ｃ‐ＲＮＴＩからＲＢレベルオフセットを暗黙的に導出するために、（使用した周波数密度を考慮して）次の式を提案した:
RBoffset = C-RNTI mod nPTRS_step
ここで、周波数密度１に対してnPTRS_step =1、周波数密度1/4に対してnPTRS_step =2、周波数密度1/4に対してnPTRS_step =4 である。
ＲＢレベルオフセットとＣ−ＲＮＴＩとの間の関連付けはＰＴ−ＲＳとのブロードキャスト送信に関しては有効ではない。この場合、ＲＢレベルオフセットは、例えばＳＩ−ＲＮＴＩのような異なるパラメータから暗黙的に導出されなければならない。前のケースと同様に、ブロードキャストケースの関連付けルールをRBoffset = SI-RNTI mod nPTRS_stepに設定できる。
2021503805.tif 000052
２．１．５  ＰＴＲＳのＲＥレベルオフセット
ＲＥレベルオフセットは、ＰＲＢ内のどのサブキャリアにＰＴＲＳがマッピングされるかを示す。最後のＲＡＮ１会議では、ＲＥレベルオフセットを次のパラメータのいずれかに関連付けることが議論された:
・  ＰＴＲＳポートに関連付けられたＤＭＲＳポートのインデックス
・  ＳＣＩＤ
・  セルＩＤ
いくつかの会社は、ＲＥレベルがＤＭＲＳポートインデックスに関連付けられた場合、ＰＴＲＳ対ＰＴＲＳセル間干渉の影響が性能のいくつかの劣化を引き起こす可能性があると主張している。ＲＥレベルオフセットをＳＣＩＤまたはセルＩＤに関連付けることによって、セル間のＰＴＲＳマッピングをランダム化することによって、この劣化を回避することが示唆された。
しかしながら、［１］において、隣接セルに対するＰＴＲＳへのＰＴＲＳ干渉がＰＴＲＳ干渉に対するＰＤＳＣＨよりも優れた性能を提供することを示す評価結果を示した（ＣＰ‐ＯＦＤＭにおけるＰＴＲＳに対する一致した一定変調シンボルシーケンスを使用した場合）。また、［３］の付録５．１では、この議論をサポートする導出を示した。
さらにＰＴ−ＲＳマッピングはＰＴＲＳとＣＳＩ-ＲＳの多重化と密接に関連している。ＣＳＩ-ＲＳおよびＰＴＲＳがＦＤＭｅｄである場合、ＣＳＩ-ＲＳリソースをＰＴＲＳにマッピングされているサブキャリアにマッピングすることはできない。すべてのケースＦＤ２で１つ以上のポート使用のＣＳＩ-ＲＳリソースがあることはすでに合意されており、各ＣＳＩ-ＲＳポートには周波数領域に２つの隣接するＣＳＩ-ＲＳ-ＲＥが含まれている。この事実により、図１に示すように、ＳＣＩＤまたはセルＩＤに関連するＲＥレベルのオフセットは、場合によってはＣＳＩ-ＲＳリソースの利用可能なＲＥの少ない数につながる可能性がある。 
2021503805.tif 000053
結論としてＰＴ−ＲＳマッピングのための最良の選択肢は、セル間干渉による劣化がより少なく、ＣＳＩ−ＲＳとのＦＤＭの特性が良好であるため、ＲＥレベルオフセットをＰＴＲＳポートに関連付けられたＤＭＲＳポートのインデックスに関連付けることであると考えられる。
2021503805.tif 000054
２．１．６  ＲＲＣ“RE-level-offset”シグナリング
ＲＥレベルオフセットの暗黙の関連付けに加えて、ＲＡＮ１ ９０ｂｉｓではＲＥレベルオフセットを明示的に示し、得られたＲＥレベルオフセットをデフォルトの関連付け規則で置き換えるＲＲＣパラメータ“PTRS-RE-offset”をサポートすることが合意された。ＲＲＣ信号にこのパラメータを導入する主な動機はＰＴＲＳをＤＣサブキャリアにマッピングすることを回避することである。このパラメータに関する合意が“PTRS-RE-offset”が０から１１までの任意の値をとることができることを示唆する。しかしながら、これは、次に考察されるいくつかの欠点を有する。 
第１に、“PTRS-RE-offset”が０から１１までの任意の値に設定され得る場合、ＰＤＳＣＨまたはＰＵＳＣＨ送信に使用されるＤＭＲＳは“PTRS-RE-offset”によって示されるサブキャリアを使用しなければならないので（ＰＴＲＳがその関連するＤＭＲＳポートがマッピングされるサブキャリアのうちの１つにマッピングされることに合意されたため）、ｇＮＢスケジューリング制限を暗示し、例えば、“PTRS-RE-offset” =０である場合、ＤＭＲＳタイプ１が設定される場合、サブキャリア｛１,３,５,７,９,１１｝を使用して櫛形にマッピングされるＤＭＲＳポートは、ＵＥをスケジューリングするときに使用できない。表にＤＭ−ＲＳタイプ１についての上記の制限を示す。
2021503805.tif 000055
別の問題は、シグナリングオーバーヘッドに関連する。“PTRS-RE-offset”を０から１１までの値に設定できる場合、“PTRS-RE-offset”インジケーションにつき４ビットが必要である。“PTRS-RE-offset”を０から１１のいずれかの値に設定できれば、“PTRS-RE-offset”インジケーションごとに４ビットが必要となり、また、ＤＬとＵＬのＰＴＲＳポートを異なるＤＭＲＳポートに対応付けることができるため、ＵＬとＤＬの“PTRS-RE-offset”の独立インジケーションが必要となり、オーバーヘッドが増大し、同様に、ＳＵ-ＭＩＭＯのＰＴＲＳポートごとに“PTRS-RE-offset”の独立インジケーションが必要となる（さらにオーバーヘッドが増大する）。
したがって、スケジューリング制限を回避し、オーバーヘッドを低減する、より効率的な信号が必要とされる。“PTRS-RE-offset”を用いてＰＴ−ＲＳポートに関連するＤＭＲＳポートによって使用されるサブキャリアのサブセット内の要素の１つに対する相対インデックスを生成する、異なるアプローチを提案した。したがって、相対インデックスは、特定のＰＤＳＣＨまたはＰＵＳＣＨスケジューリングのために使用されるＤＭＲＳポートによって使用されるサブキャリアの中から１つのサブキャリアを選択する（スケジューリング制限を導入することなく）。提案された解決策は、アルゴリズム２に要約される。
2021503805.tif 000056
提示されたアプローチに基づいて、我々は表１０及び表１１に、“PTRS-RE-offset”及びＤＭＲＳタイプ１及び２におけるＤＭＲＳポートのための選択されたＰＴＲＳサブキャリアの符号化（アルゴリズム２に基づく）を示す。提案された解決策は必要なオーバーヘッドを低減しながら、スケジューリングにおける制限を回避する。“PTRS-RE-offset”を符号化するためにちょうど２ビットが必要とされる。更に、提案された解決策では“PTRS-RE-offset”の任意の値が任意のＤＭＲＳポートで使用されることができるので、ＤＬ及びＵＬのための“PTRS-RE-offset”の共通表示が使用されることができる。また、１より多いＰＴ−ＲＳポートを有するＳＵ-ＭＩＭＯの場合、“PTRS-RE-offset”の単一のインジケーションを使用できる。これは、異なるＤＭＲＳポートに関連付けられたＰＴＲＳポートに対して異なるサブキャリアを提供するためである。
2021503805.tif 000057
２．１．７  ＵＣＩにおけるＤＬのためのＰＴＲＳポートシグナリング
最後のＲＡＮ１会議において、ＵＥは、ＵＣＩにおいてより高いＣＱＩを有するＣＷ内の好ましいＤＬ送信レイヤに関する情報を報告すべきであることが合意された。この情報により、ｇＮＢはＤＭＲＳグループ内の最も低いインデックスを持つＤＭＲＳポートと、最良の伝送ポート内のその関連ＰＴＲＳポートを送信するために、プリコーダの列の置換を実行することができる。ここでは、選択されたプリコーダのどの列がｇＮＢにおいて置換されなければならないかを示す列置換インジケータ（ＣＰＩ）の概念を定義する。例えば、ＣＰＩ=０の場合、置換は行われず、ＣＰＩ=２の場合、プリコーダの第１および第３の列は置換される。ＣＳＩフィードバックにＣＰＩを含めることによって、我々は最良の送信ポートに関する情報をシグナリングしている。
ＲＡＮ１は１から８までの送信ランクをサポートすることに同意し、ここで、ＲＩは、３ビットのオーバーヘッドを有するＣＳＩフィードバックの一部である。可能なＣＰＩの数は、（より高いＣＱＩを有するＣＷに関連付けられた最良の送信ポートに関する情報だけをシグナリングすることが合意されたので）ランクと、各ランクに使用することができるＣＷ当たりのポートの最大数とに関連付けられることが重要である。例えば、ランク５の場合、最大３つのポートを１つのＣＷに関連付けることができるので、３つの異なるＣＰＩ値を選択することができる。したがって、１ ＣＰＩ値はランク１に対して、２はランク２に対して、３はランク３に対して、４はランク４に対して、３はランク５および６に対して、そして４はランク７および８に対して許容される。次に、ＲＩおよびＣＰＩを共同で符号化するために、合計１＋２＋３＋４＋３＋３＋４＋４=２４個の状態が必要とされ、したがって、ＲＩおよびＣＰＩを共同で符号化するために５ビットが必要とされる（ＣＰＩ選択において完全な柔軟性を有する）。［８］としての以前の寄与において、著者らは、４より高いランクに対して４つのＣＰＩ値のうちの２つのみが選択され得る、低減された柔軟性のＣＰＩ選択を提案した。この場合、合計１＋２＋３＋２*５=１６の状態、すなわち、ＲＩおよびＣＰＩを共同で符号化するのに必要な４ビットが必要である。
考慮すべき重要な態様は、ＲＡＮ１がランク制約指標の手段によってＣＳＩフィードバックにおいて使用され、シグナリングされることができるランクを制限する可能性を有することに同意したことである。したがって、ランク制約が使用される場合、前の解決策で提案された１６の状態のうちのいくつかは、制約のために使用されず、ＣＰＩ選択の柔軟性を高めるために使用することができる。次に、アルゴリズム３では、ランク制限を考慮して、ＲＩおよびＣＰＩをシグナリングするためのＤＣＩペイロードを効率的に符号化し、低減するステップを提案する。
2021503805.tif 000058
表１２では、ランク制限が使用されない場合（ａ）およびランク制限が使用される場合（ｂ）の前の符号化の例を示す。我々は、ランク制限のない場合に対する以前に提案された符号化が［８］で提案された符号化とどのように同じであるかを見ることができる。また、ランク制限が使用される場合、４ビットのオーバーヘッドを使用しながら、ランク＞３のＣＰＩの選択の柔軟性を高めることができることが分かる。したがって、提案された共同符号化（ジョイントエンコーディング）は１ビットのＣＳＩフィードバックオーバーヘッドを低減しながら、ＣＰＩ選択に高い柔軟性を提供する。ＲＩおよびＣＰＩの共同符号化を使用するので、ＰＴＲＳ送信が存在しない場合であってもＣＰＩ情報がシグナリングされることに言及することが重要である。これは、静的ＵＣＩペイロードが好ましいからである。
2021503805.tif 000059
２．１．８  ＰＴＲＳの電力ブースティング
ＰＴＲＳ電力（パワー）ブースト（ブースティング）は、推定の精度を高めるので有益である。しかしながらＰＴ−ＲＳの電力ブースト原理は、ＤＭＲＳとして他の参照信号で使用されるものとは異なるＤＭ−ＲＳにおいて、我々は１つのＤＭＲＳポートのためのあるＲＥを、そのポートにおけるブランキングされたＲＥの未使用電力を使用して電力ブーストする（すなわち、電力転送は同じポートにおけるＲＥ間であり、ポート間の電力転送は許可されない）。しかしながらＰＴ−ＲＳについては、２つの異なる電力ブースティングタイプがある。電力ブースティングタイプ１これはＤＭＲＳ電力ブースティングで使用されるのと同じ原理に従う。つまり、電力転送は同じポートのＲＥ 間にある。電力の転送が同じＲＥ で異なるポート間にある場合の電力ブースティングタイプ２。  
どの電力ブースティングタイプが使用されるべきかは、送信機アーキテクチャに関連する。各ポートは直接パワーアンプにマッピングされるため（ポート間の電力転送ができない）、アナログビーム形成（ビームフォーミング）送信機の電力ブースティングタイプ１ を使用する必要がある。デジタル及びハイブリッドビーム成形の場合、タイプ１及びタイプ２の両方を用いることができる。タイプ１ではＰＴＲＳポートに対する電力（パワー）スケーリングがＳＵ-ＭＩＭＯ送信におけるＰＴＲＳポートの数（最大２ ＰＴＲＳポート）に関連し、タイプ２ではＰＴＲＳポートに対する電力スケーリングがＳＵ-ＭＩＭＯにおけるＤＭＲＳグループのＰＤＳＣＨ/ＰＵＳＣＨレイヤの数（最大８ ＰＤＳＣＨレイヤおよび４ＰＵＳＣＨレイヤ［６］）に関連する。従って、デジタル及びハイブリッドビーム成形送信機のために、電力ブースティングタイプ２は、より良い電力利用を提供するので、好ましい。図２および図３では、３つのＤＭＲＳ ポートと３つのＰＤＳＣＨ レイヤを持つＳＵ-ＭＩＭＯ伝送で、１および２つのＰＴＲＳ ポートを持つデジタルおよびアナログビーム形成に対する電力ブースティングの例を示している。
2021503805.tif 000060
2021503805.tif 000061
2021503805.tif 000062
２．１．８．１  ＤＬ電力ブースティング
ＤＬの場合、ＰＤＳＣＨ対ＰＴＲＳのＥＰＲＥ比は、電力ブースティングレベルを示すためのメトリックとして使用される（ここで、ＥＰＲＥは１つのＲＥにおける送信におけるすべてのポートの電力（パワー）を指し、ポート当たりのＥＰＲＥではない）。ＥＰＲＥは、電力ブースティングタイプ１および２のための異なるパラメータから暗黙的に導出される。
電力ブースティングタイプ１の場合、ポート間の電力転送は許可されない。したがって、この場合、ＰＤＳＣＨ とＰＴＲＳ のＥＰＲＥ の比率は、伝送（ＮPTRS）内のＰＴＲＳ ポートの数とＤＭＲＳ グループ内のＰＤＳＣＨ レイヤー（ＮPDSCH）の数に関連する。ＥＰＲＥレベルは、以下のように計算される:
電力ブースティングタイプ２の場合、ポート間の電力転送が許可される。したがって、このタイプの電源ブーストでは、任意のＮPTRSおよびＮPDSCHに対してＥＰＲＥＤＰＤＳＣＨ_ｔｏ_ＰＴＲＳ=０ｄＢ になる。
2021503805.tif 000063
PTRS EPREへのＰＤＳＣＨのＲＲＣ信号をサポートすることも、最後のＲＡＮ１会議で合意された。しかしながら、この表示は、次に説明するいくつかの問題を提供する。電力ブーストタイプ１ の場合、ＥＰＲＥ 比はＮPTRS とＮPDSCH （動的に変更できるＤＣＩ から導出されたパラメータ） から暗黙的に導出される。したがって、ＲＲＣ によって示されるＥＰＲＥ レベルは、ＤＣＩのＮPTRSとＮPDSCHの値に関して古くなる可能性がある（不正な電力スケーリングを生成する）。電力ブースティングタイプ２ の場合、ＥＰＲＥ 比はすべてのケースで０ｄＢ に等しいため、異なるＥＰＲＥ レベルのＲＲＣインジケーションは不正確な電力スケーリングにつながる。したがって、指摘された問題を回避するためには、ＲＲＣによるＥＰＲＥインジケーションを排除しなければならないと考えられる。
2021503805.tif 000064
２．１．８．２  ＵＬ電力ブースティング
ＵＬの場合ＰＴ−ＲＳポートの電力は、電力ブースティングレベルを示すためのメトリックとして使用される。
電力ブーストタイプ１の場合、ＰＴ−ＲＳ ポートの電力が１つのレイヤ（ＰPUSCH） のPUSCH REの電力とＰＴＲＳ ポート（ＮPTRS） の数に関連する。ＰＴＲＳ電力は、
PPTRS=10*log10(NPTRS) + PPUSCH
によって与えられる。
電力ブーストタイプ２の場合、ＰＴＲＳ ポートの電力がＤＭＲＳグループ（ＮPUSCH） のＰＵＳＣＨ レイヤの数と１つのレイヤ（ＰPUSCH） のPUSCH REの電力に関連する。したがって、ＰＴＲＳポートの電力は、
PPTRS=10*log10(NPUSCH) + PPUSCH
によって与えられる。
2021503805.tif 000065
２．１．９  時間領域でのマッピング
スロット内でＰＴＲＳをマッピングする方法は以前に合意されていたが、スロット内のＰＴＲＳとＳＳＢの衝突に関連する合意は依然として存在しない。この場合、２つの異なるオプションを使用できる。ＳＳＢ に衝突するPTRS REはパンクするか、ＳＳＢ の後の最初のＯＦＤＭ シンボルにシフトされる。場合によっては、パンクチャリングが最後のＰＴＲＳシンボルとＰＤＳＣＨシンボルとの間の距離が大きいために、位相推定の外挿が良好な精度を提供しない場合につながる可能性がある。例えば、図４では、ＰＴＲＳ時間密度が低い例（４番目のＯＦＤＭシンボルごとに１ ＰＴＲＳ）を示す。そこでは、パンクチャリング時に、スロット内の最後のＰＤＳＣＨシンボルと最後のPTRS REとの間に７つのシンボルが存在し、一方、この距離をシフトすると、１シンボルに減少する（位相推定を改善する）ことが分かる。従って、ＰＴＲＳがＳＳＢと衝突する場合のＰＴＲＳシフトを好む。
2021503805.tif 000066
２．１．１０  ミニスロット用ＰＴＲＳ設計
スロットベースと非スロットベースの送信には、同じＰＴＲＳ 設定を使用する必要がある。
2021503805.tif 000067
２．２  ＤＦＴ-Ｓ-ＯＦＤＭ用ＰＴＲＳ設計
２．２．１  関連付け表
ＲＡＮ１は、チャンクベースのＰＴＲＳの構成がスケジュールされたＢＷに関連付けられなければならないことに同意した。関連付け表に関する以下の問題は、まだオープンである:
・  設定がスケジュールされたＭＣＳ にも関連付けられている場合。
・  チャンクサイズＫ=１がサポートされる場合。
・  Ｋ=４ でＸ＞４ の設定がサポートされている場合。 
・  表内の閾値のデフォルト値。
［９］では、ＤＦＴドメインにおけるＰＴＲＳの構成がスケジュールされたＭＣＳから独立しているので、関連付け表はスケジュールされたＢＷにのみ依存すべきであることを示す。また、［９］では、Ｋ=１を有する構成が大きなスケジュールされたＢＷに対していかなるパフォーマンス利得も提供しないので、サポートされるべきではないことを示す。したがって、関連付け表内の閾値をシグナリングするためのオーバーヘッドが低減される（１つ少ない閾値が使用されるので）。さらに、［９］では、いくつかの場合において、Ｘ=８およびＫ=４を有する構成は（特に、低品質発振器を有する大きなＢＷおよびＵＥのために）性能利得を提供し、したがって、Ｙ=８がサポートされる必要があることを示す。したがって、表１３は、ＤＦＴドメインにおけるＰＴＲＳの構成を選択するために使用されなければならない。
2021503805.tif 000068
前述のように、重要な未解決の問題は、関連付け表内の閾値のデフォルト値である。［９］では、表１３の初期設定閾値に対する最良の選択がＮRB0=０、ＮRB1=８、ＮRB2=ＮRB3=３２、ＮRB4=１０８であることを示す評価結果を示した。提案されたデフォルト閾値の重要な側面の１つは、周波数オフセットの推定を可能にするＤＦＴ-Ｓ-ＯＦＤＭに対して常にPTRS ONとの構成を提供することである。
2021503805.tif 000069
２．２．２  閾値のＲＲＣシグナリング
ＣＰ-ＯＦＤＭの場合と同様に、ＵＥ は関連表１３ のデフォルト値を上書きするために、ＲＲＣ シグナルによって新しい閾値を提案することができる。ＣＰ-ＯＦＤＭのためのＰＴＲＳの周波数密度に対する関連付け表の閾値をシグナリングするためにセクションに示された同じ原理は、ＤＦＴ構成のための関連付け表の閾値のシグナリングのために適用することができる。表１４では、完全および低減された柔軟性の選択、ならびにビットマップおよび効率的な符号化を使用して、関連付け表の５つの閾値をシグナリングするために必要なオーバーヘッドを示す。この場合、低減された柔軟性選択および提案された効率的な符号化の利点は、（符号化する閾値の数がより多いので）ＰＴＲＳ周波数密度表の閾値の場合よりもさらに大きい。
2021503805.tif 000070
２．２．３  Ｋ=２のチャンクの配置
最後のＲＡＮ１会議では、Ｋ=２の場合の各チャンクに専用の間隔内に、サンプルｎからサンプルｎ+Ｋ−１までのチャンクを配置することが合意された。［１０］では、Ｋ=２およびＸ=２について異なるチャンク配置を用いた評価結果を示し、異なるチャンク配置について非常にわずかな性能差しか示さなかった。したがって、Ｋ=４の場合とＫ=２の場合との間で調和された設計を有するために、Ｋ=２に対する最良の選択肢は、区間の中心にチャンクを配置することであると考えられる。
2021503805.tif 000071
―――――――――――――――――――――――――――――――――――――――
３  結論
我々は、以下の追加提案を行う:
提案１:  ＵＬおよびＤＬのためのＲＲＣによってそれぞれ設定されることができる密度表において、すべてのＰＲＢにおける１つのＰＴＲＳサブキャリアの周波数密度のためのサポートを追加する。
提案２   ＰＴＲＳ時間密度表におけるＭＣＳ閾値は、符号レートを除いて、変調コンステレーションサイズのみの粒度を有する。
提案３   ＤＬに対するデフォルト閾値として、ptrsthRB0DL=ptrsthRB1DL=0、ptrsthRB2DL=276 および ptrsthMS1DL=ptrsthMS2DL=ptrsthMS3DL =0をサポートする。
提案４： ＵＬに対するデフォルト閾値として、ptrsthRB0UL=ptrsthRB1UL=0、ptrsthRB2UL=276 および ptrsthMS1UL=ptrsthMS2UL=ptrsthMS3UL =0をサポートする。
提案５： 上位レイヤ構成はＤＬおよびＵＬのためのＰＴＲＳの可能な存在を独立して示し、すなわち、UL-PTRS-present と DL-PTRS-presentがＲＲＣパラメータである。
提案６： 閾値ptrsthRBの値を、ＲＢＧサイズの倍数である要素のセット、すなわち、[0, RBG,2*RBG,3*RBG,…,Y*RBG,296]に制限し、Y=XRBG であり XはＮＲにおける最大スケジュールＢＷである。
提案７： 周波数密度関連付け表の閾値のセットを符号化するために、アルゴリズム１に記載された符号化方式を使用する。
提案８： ptrsthMCSxの値を[0,1,2,3,4,Inf]に制限する。
提案９： アルゴリズム１に記載された符号化方式を使用して、時間密度関連付け表の閾値のセットを符号化する。
提案１０： ＰＴＲＳ 用のＲＢ送信オフセットの放送についての提案１０は、ＳＩ-ＲＮＴＩ に関連付けられる。
提案１１： ＰＴＲＳとＲＮＴＩに対するＲＢレベルオフセットの間の暗黙の関係は周波数密度に依存し、式RBoffset = C-RNTI mod nPTRS_step(ここで、nPTRS_step =１/(freq_density))によって与えられる。
提案１２： ＲＥレベルオフセットと、ＰＴＲＳポートに関連するＤＭＲＳポートのインデックスとの暗黙の関連付けをサポートする。
提案１３： 関連するＤＭＲＳポートインデックス（ＤＭＲＳタイプ１および２の場合）に基づいて１つのＰＴＲＳポートのＲＥレベルオフセットを導出するための表７および表８を採用する。
提案１４： “PTRS-RE-offset”は２ビットのビットマップ符号化を使用してＲＲＣに“PTRS-RE-offset”を符号化する。ここで、“PTRS-RE-offset”は値｛０,１,２,３｝を取ることができる。
提案１５： アルゴリズム２を使用して、“PTRS-RE-offset”の値に基づいてＰＴＲＳポートがどのサブキャリアにマッピングされるかを決定する。
提案１６： アルゴリズム３を使用して、ＲＩおよびＣＰＩを４ビットで共同で符号化する。
提案１７： 同じポート内のＲＥ間の電力転送を使用する、電力ブースティングタイプ１をサポートする。アナログビーム形成を持つ送信機に使用すべきである。
提案１８： 同じＲＥのポート間の電力転送を使用する電力ブースティングタイプ２をサポートする。デジタルおよびハイブリッドビーム形成を持つ送信機に使用すべきである。
提案１９： ＤＬおよびＵＬのデフォルトとして、電力ブースティングタイプ２を使用すべきである。
提案２０： ＲＲＣシグナリングパラメータ“PTRS_boosting_typeDL”および“PTRS_boosting_typeUL” をサポートして、ＤＬおよびＵＬに独立して使用される電力ブースティングタイプを示す。
提案２１： 電力ブースティングタイプ１の場合、ＰＤＳＣＨ対ＰＴＲＳのＥＰＲＥ比はEPREPDSCH_to_PTRS = ＋10*log10(NPDSCH) - 10*log10(NPTRS) [ｄＢ]として暗黙的に計算され、ここで、ＮＰＴＲＳは送信におけるＰＴＲＳポートの数であり、ＮＰＤＳＣＨはＤＭＲＳグループにおけるＰＤＳＣＨレイヤの数である。
提案２２： 電力ブースティングタイプ２の場合、ＰＴＲＳに対するＰＤＳＣＨのＥＰＲＥ比は、ＤＭＲＳグループ内の送信およびＰＤＳＣＨレイヤ内の任意の数のＰＴＲＳポートに対して常に０ｄＢである。
提案２３： ＲＲＣシグナリングに明示的なＥＰＲＥ指示を含めず、代わりにＲＲＣを使用してブースティングタイプを設定する。
提案２４： 電力ブースティングタイプ１がＵＬで使用される場合、ＰＴＲＳポートの電力はＰＰＴＲＳ=10*log10(NPTRS) + PPUSCHによって暗黙的に与えられ、ここで、ＮＰＴＲＳはＰＴＲＳポートの数であり、ＰＰＵＳＣＨは１つのレイヤにおけるPUSCH REの電力である。
提案２５： 電力ブースティングタイプ２がＵＬで使用される場合、ＰＴＲＳポートの電力はＰＰＴＲＳ=10*log10(NPUSCH)+ PPUSCHによって暗黙的に与えられ、ここで、ＮＰＵＳＣＨはＤＭＲＳグループ内のＰＵＳＣＨレイヤの数であり、ＰＰＵＳＣＨは１つのレイヤ内のPUSCH REの電力である。
提案２６： ＰＴＲＳがＳＳＢに衝突した場合、ＰＴＲＳはＳＳＢの後で最初のＯＦＤＭシンボルにシフトされ、マッピングアルゴリズムを再開する必要がある。
提案２７： ＲＲＣによるＰＴＲＳ構成は、リリース１５のスロットベースと非スロットベースの両方のスケジューリングに適用される。
提案２８： Ｋ=１の設定をプレクルードする。
提案２９： 大きなスケジュールされたＢＷに対してＹ=８をサポートする。
提案３０： ＤＦＴ領域における提案３０ＰＴＲＳ構成は、スケジュールされたＭＣＳに関連付けられていない。
提案３１： スケジュールされたＢＷとチャンクベースの設定間の関連付け表の閾値のデフォルト値として、ＮＲＢ０=０、ＮＲＢ１=８、ＮＲＢ２=ＮＲＢ３=３２、およびＮＲＢ４=１０８を採用する。
提案３２： ＮＲＢｘの値を、ＲＢＧサイズの倍数である要素の集合、すなわち、［０, RBG,２*ＲＢＧ,３*ＲＢＧ...,Ｙ*ＲＢＧ,２７６］に制限し、Y= XRBGであり、ＮＲにおける最大スケジュールＢＷをＸとする。
提案３３： ＰＴＲＳチャンクベースの構成関連付け表の閾値を効率的に符号化するために、アルゴリズム１に記載された符号化方式を使用する 
提案３４： Ｋ=２の場合、ＰＴＲＳチャンクは各間隔の中央にマッピングされ、すなわち、Ｎ=Ｎ２-Ｋ２であり、ここで、Ｎは、間隔におけるサンプルの数である。
―――――――――――――――――――――――――――――――――――――――
４  参考資料
[1] R1-1718750, “Further evaluations on PTRS for CP-OFDM”, Ericsson
[2] R1-1720981, “TRS above-6GHz evaluations”, Ericsson
[3] R1-1716373, “Details on PTRS design”, Ericsson
[4] Chairman’s Notes RAN1 90bis
[5] R1-1714314, “On DL PTRS design”, Ericsson
[6] 3GPP TS 38.211 v1.1.2
[7] R1-1718749, “Further evaluations on DMRS”, Ericsson
[8] R1-1718449, “Remaining details on PTRS design”, Ericsson
[9] R1-1720725, “Further evaluations on PTRS”, Ericsson
[10] R1-1718751, “Further evaluations on PTRS for DFT-S-OFDM”, Ericsson
【図１】
2021503805.tif 000082
【図２】
2021503805.tif 000083
【図３】
2021503805.tif 000084
【図４】
2021503805.tif 000085
【図５】
2021503805.tif 000086
【図６】
2021503805.tif 000087
【図７】
2021503805.tif 000088
【図８】
2021503805.tif 000089
【図９】
2021503805.tif 000090
【図１０】
2021503805.tif 000091
【図１１】
2021503805.tif 000092
【図１２】
2021503805.tif 000093
【図１３】
2021503805.tif 000094
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
無線アクセスノード（510）と無線デバイス（512）との間の無線チャネル上で位相追跡参照信号（PT-RS）のための設定メッセージを送信する方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップを含み、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項２】
請求項1に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含む、方法。
【請求項３】
請求項2に記載の方法であって、前記PRB(602）における前記複数のサブキャリア（608）の数は2nより大きい、方法。
【請求項４】
請求項1から3のいずれか1項に記載の方法であって、前記DM-RSに割り当てられたサブキャリア（608）の前記サブセットは、動的にシグナリングされる、方法。
【請求項５】
請求項1から4のいずれか1項に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項６】
請求項1から5のいずれか1項に記載の方法であって、前記ビットフィールドは、前記PT-RSに割り当てられた前記サブキャリア（608）として、前記DM-RSに割り当てられたサブキャリア（608）の前記サブセットにおける前記サブキャリア（608）のいずれかを表すサイズである、方法。
【請求項７】
請求項1から6のいずれか1項に記載の方法であって、前記ビットフィールドは、nビットを含み、前記DM-RSに割り当てられたサブキャリア（608）の前記サブセットにおける前記サブキャリア（608）の数は、2n以下である、方法。
【請求項８】
請求項1から7のいずれか1項に記載の方法であって、前記DM-RSに割り当てられたサブキャリア（608）の前記サブセットにおける各サブキャリア（608）は、インデックスによって一意に識別され、前記ビットフィールドは、前記PT-RSに割り当てられた前記サブキャリア（608）に対応する前記インデックスを示す、方法。
【請求項９】
請求項1から8のいずれか1項に記載の方法であって、前記PT-RSに割り当てられた前記サブキャリア（608）は、前記PT-RSのアップリンク送信及び前記PT-RSのダウンリンク送信の少なくとも1つについて、前記ビットフィールドから導出または導出可能である、方法。
【請求項１０】
請求項1から9のいずれか1項に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを送信する（304）ステップを更に含む、または、当該ステップをトリガする、方法。
【請求項１１】
請求項1から10のいずれか1項に記載の方法であって、無線デバイス（512）は、前記無線アクセスノード（510）へのアップリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられたサブキャリア（608）上の前記DM-RSポートのうちの少なくとも1つを介して送信された前記PT-RSを受信する（304）ステップを含む、または、当該ステップをトリガする、方法。
【請求項１２】
請求項1から11のいずれか1項に記載の方法であって、前記無線チャネルは、マルチユーザ多入力多出力（MU-MIMO）チャネルを含み、前記DM-RSポートの異なるDM-RSグループは、異なる無線デバイス（512）へのアクセスを提供し、前記PT-RSは、各DM-RSグループにおける少なくとも1つのDM-RSポートを介して送信または受信される、方法。
【請求項１３】
請求項1から12のいずれか1項に記載の方法であって、前記DM-RSに割り当てられたサブキャリア（608）の前記サブセットは、対応するDM-RSポートに依存する、方法。
【請求項１４】
請求項13に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000095
により与えられ、ここで、R=1，2又は3；S=1又は2；及びオフセットΔ(p)は前記DM-RSポートpに依存する、方法。
【請求項１５】
請求項1から14のいずれか1項に記載の方法であって、前記ビットフィールドは、前記DM-RSに割り当てられたサブキャリア（608）のサブセットのうち、前記PT-RSのための2つの候補サブキャリア（608）を示し、前記PT-RSに割り当てられる前記サブキャリア（608）は、前記PT-RSが送信される前記DM-RSポートに基づいて、前記2つの候補サブキャリア（608）の中から決定される、方法。
【請求項１６】
請求項14または15に記載の方法であって、前記DM-RSポートpを介して送信される前記PT-RSに割り当てられる前記サブキャリア（608）は、2・R・m＋S・k'＋Δ(p)で与えられ、前記ビットフィールドはmを示しk'=p mod 2である、方法。
【請求項１７】
請求項13又は14又は16に記載の方法であって、異なるDM-RSは、前記DM-RSポートのそれぞれを介して送信される、方法。
【請求項１８】
請求項17に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項１９】
請求項1から18のいずれか1項に記載の方法であって、前記無線チャネルは、2つ以上のDM-RSポートを介してアクセスされるシングルユーザ多入力多出力（SU-MIMO）チャネルを含み、前記PT-RSは、前記2つ以上のDM-RSポートの少なくとも2つの各々で受信される、方法。
【請求項２０】
請求項1から19のいずれか1項に記載の方法であって、前記PT-RSは、少なくとも2つの異なるDM-RSポートのそれぞれを介して、および/または、アップリンク送信およびダウンリンク送信のそれぞれにおいて、送信される、方法。
【請求項２１】
請求項1から20のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項２２】
請求項21に記載の方法であって、前記TD-OCCの前記DM-RSポート依存性は、前記DM-RSポートpに対して、
2021503805.tif 000096
を含む、方法。
【請求項２３】
請求項21または22に記載の方法であって、前記FD-OCCの前記DM-RSポート依存性は、前記DM-RSポートpに対して、
2021503805.tif 000097
である、方法。
【請求項２４】
請求項21から23のいずれか1項に記載の方法であって、前記TD-OCCは、係数
2021503805.tif 000098
を含み、および/または、前記FD-OCCは、係数
2021503805.tif 000099
を含む、方法。
【請求項２５】
請求項1から24のいずれか1項に記載の方法であって、前記設定メッセージは、前記PT-RSが送信される（304; 404）各DM-RSポートについて、対応するDM-RSポートを介して送信される（306; 406）前記DM-RSに割り当てられたサブキャリアの前記サブセット（608）のうちの、前記PT-RSに割り当てられた前記サブキャリア（608）を示すビットフィールドのインスタンスを含む、方法。
【請求項２６】
請求項1から25のいずれか1項に記載の方法であって、前記PT-RSは、前記DM-RSポートのうちの1つを介して送信され（304; 404）、前記1つのDM-RSポートは、あらかじめ定義されたルールに従って決定される、または、前記DM-RSポートは、2つ以上のばらばらなDM-RSグループにグループ化され、前記PT-RSは、前記DM-RSグループの各々における前記DM-RSポートのうちの1つを介して送信され（304; 404）、前記1つのDM-RSポートは、前記DM-RSグループの各々に適用される、前記あらかじめ定義されたルールに従って決定される、方法。
【請求項２７】
請求項26に記載の方法であって、前記DM-RSポートの各々は、ポートインデックスによって一意に識別され、前記あらかじめ定義されたルールに従う前記DM-RSポートのうちの1つは、最も低いポートインデックスを有する前記DM-RSポートである、方法。
【請求項２８】
請求項1から27のいずれか1項に記載の方法であって、前記PT-RSは、前記PT-RSに割り当てられた前記サブキャリア（608）上のトーンを含み、前記トーンは、同じサブキャリア（608）上の対応するDM-RSポートを介して送信される（306; 406）前記DM-RSのトーンに対応する、方法。
【請求項２９】
請求項1から28のいずれか1項に記載の方法であって、各DM-RSポートは、プリコーダに従って複数のアンテナポートにマッピングされる、方法。
【請求項３０】
請求項1から29のいずれか1項に記載の方法であって、DM-RS設定タイプ1に従って前記DM-RSに割り当てられたサブキャリア（608）の前記サブセットにおける前記サブキャリア（608）の数は、DM-RS設定タイプ2に従って前記DM-RSに割り当てられたサブキャリア（608）の前記サブセットにおける前記サブキャリア（608）の数の2倍であり、
前記DM-RS設定タイプ1と前記DM-RS設定タイプ2それぞれに対して、同じサイズのビットフィールドが使用され、前記DM-RS設定タイプ2において前記PT-RSに割り当てられたサブキャリア（608）を決定するために、前記ビットフィールドの最上位ビットは、無視またはゼロに設定される、方法。
【請求項３１】
無線アクセスノード（510）と無線デバイス（512）との間の無線チャネル上で位相追跡参照信号（PT-RS）のための設定メッセージを受信する方法（400）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線アクセスノード（510）から受信する（402）ステップを含み、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、DM-RSは、各DM-RSポートを介して送信または受信され、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項３２】
請求項31に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含む、方法。
【請求項３３】
請求項32に記載の方法であって、前記PRB(602）における前記複数のサブキャリア（608）の数は2nより大きい、方法。
【請求項３４】
請求項31から33のいずれか1項に記載の方法であって、前記DM-RSに割り当てられたサブキャリア（608）の前記サブセットは、動的にシグナリングされる、方法。
【請求項３５】
請求項31から34のいずれか1項に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項３６】
請求項31から35のいずれか1項に記載の方法であって、前記ビットフィールドは、前記PT-RSに割り当てられた前記サブキャリア（608）として、前記DM-RSに割り当てられたサブキャリア（608）の前記サブセットにおける前記サブキャリア（608）のいずれかを表すサイズである、方法。
【請求項３７】
請求項31から36のいずれか1項に記載の方法であって、前記ビットフィールドは、nビットを含み、前記DM-RSに割り当てられたサブキャリア（608）の前記サブセットにおける前記サブキャリア（608）の数は、2n以下である、方法。
【請求項３８】
請求項31から37のいずれか1項に記載の方法であって、前記DM-RSに割り当てられたサブキャリア（608）の前記サブセットにおける各サブキャリア（608）は、インデックスによって一意に識別され、前記ビットフィールドは、前記PT-RSに割り当てられた前記サブキャリア（608）に対応する前記インデックスを示す、方法。
【請求項３９】
請求項31から38のいずれか1項に記載の方法であって、前記PT-RSに割り当てられた前記サブキャリア（608）は、前記PT-RSのアップリンク送信（404）及び前記PT-RSのダウンリンク送信（304）の少なくとも1つについて、前記ビットフィールドから導出または導出可能である、方法。
【請求項４０】
請求項31から39のいずれか1項に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを受信する（404）ステップを含む、または、当該ステップをトリガする、方法。
【請求項４１】
請求項31または40のいずれか1項に記載の方法であって、無線デバイス（512）は、前記無線アクセスノード（510）へのアップリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられたサブキャリア（608）上の前記DM-RSポートのうちの少なくとも1つを介して送信された前記PT-RSを送信する（404）ステップを更に含む、または、当該ステップをトリガする、方法。
【請求項４２】
請求項31から41のいずれか1項に記載の方法であって、前記無線チャネルは、マルチユーザ多入力多出力（MU-MIMO）チャネルを含み、前記DM-RSポートの異なるDM-RSグループは、異なる無線デバイス（512）へのアクセスを提供し、前記PT-RSは、各DM-RSグループにおける少なくとも1つのDM-RSポートを介して送信または受信される、方法。
【請求項４３】
請求項31から42のいずれか1項に記載の方法であって、前記DM-RSに割り当てられたサブキャリア（608）の前記サブセットは、対応する前記DM-RSポートに依存する、方法。
【請求項４４】
請求項43に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000100
により与えられ、ここで、R=1，2又は3；S=1又は2；及びオフセットΔ(p)はDM-RSポートpに依存する、方法。
【請求項４５】
請求項31から44のいずれか1項に記載の方法であって、前記ビットフィールドは、前記DM-RSに割り当てられたサブキャリア（608）のサブセットのうち、前記PT-RSのための2つの候補サブキャリア（608）を示し、前記PT-RSに割り当てられる前記サブキャリア（608）は、前記PT-RSが送信される前記DM-RSポートに基づいて、前記2つの候補サブキャリア（608）の中から決定される、方法。
【請求項４６】
請求項44及び45に記載の方法であって、前記DM-RSポートpを介して送信される前記PT-RSに割り当てられる前記サブキャリア（608）は、2・R・m＋S・k'＋Δ(p)で与えられ、前記ビットフィールドはmを示しk'=p mod 2である、方法。
【請求項４７】
請求項43又は44又は46に記載の方法であって、異なるDM-RSは、前記DM-RSポートのそれぞれを介して送信または受信される、方法。
【請求項４８】
請求項47に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項４９】
請求項31から48のいずれか1項に記載の方法であって、前記無線チャネルは、2つ以上のDM-RSポートを介してアクセスされるシングルユーザ多入力多出力（SU-MIMO）チャネルを含み、前記PT-RSは、前記2つ以上のDM-RSポートの少なくとも2つの各々で受信される、方法。
【請求項５０】
請求項31から49のいずれか1項に記載の方法であって、前記PT-RSは、少なくとも2つの異なるDM-RSポートのそれぞれを介して、および/または、アップリンク送信およびダウンリンク送信のそれぞれにおいて、送信される、方法。
【請求項５１】
請求項31から50のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項５２】
請求項51に記載の方法であって、前記TD-OCCの前記DM-RSポート依存性は、前記DM-RSポートpに対して、
2021503805.tif 000101
を含む、方法。
【請求項５３】
請求項51または52に記載の方法であって、前記FD-OCCの前記DM-RSポート依存性は、前記DM-RSポートpに対して、
2021503805.tif 000102
である、方法。
【請求項５４】
請求項51から53のいずれか1項に記載の方法であって、前記TD-OCCは、係数
2021503805.tif 000103
を含み、および/または、前記FD-OCCは、係数
2021503805.tif 000104
を含む、方法。
【請求項５５】
請求項31から54のいずれか1項に記載の方法であって、前記設定メッセージは、前記PT-RSが送信される（304; 404）各DM-RSポートについて、対応するDM-RSポートを介して送信される（306; 406）前記DM-RSに割り当てられたサブキャリアの前記サブセット（608）のうちの、前記PT-RSに割り当てられた前記サブキャリア（608）を示すビットフィールドのインスタンスを含む、方法。
【請求項５６】
請求項31から55のいずれか1項に記載の方法であって、前記PT-RSは、前記DM-RSポートのうちの1つを介して送信され（304; 404）、前記1つのDM-RSポートは、あらかじめ定義されたルールに従って決定される、または、前記DM-RSポートは、2つ以上のばらばらなDM-RSグループにグループ化され、前記PT-RSは、前記DM-RSグループの各々における前記DM-RSポートのうちの1つを介して送信され（304; 404）、前記1つのDM-RSポートは、前記DM-RSグループの各々に適用される、前記あらかじめ定義されたルールに従って決定される、方法。
【請求項５７】
請求項56に記載の方法であって、前記DM-RSポートの各々は、ポートインデックスによって一意に識別され、前記あらかじめ定義されたルールに従う前記DM-RSポートのうちの1つは、最も低いポートインデックスを有する前記DM-RSポートである、方法。
【請求項５８】
請求項31から57のいずれか1項に記載の方法であって、前記PT-RSは、前記PT-RSに割り当てられた前記サブキャリア（608）上のトーンを含み、前記トーンは、同じサブキャリア（608）上の対応するDM-RSポートを介して送信される（306; 406）前記DM-RSのトーンに対応する、方法。
【請求項５９】
請求項31から58のいずれか1項に記載の方法であって、各DM-RSポートは、プリコーダに従って複数のアンテナポートにマッピングされる、方法。
【請求項６０】
請求項31から59のいずれか1項に記載の方法であって、DM-RS設定タイプ1に従って前記DM-RSに割り当てられたサブキャリア（608）の前記サブセットにおける前記サブキャリア（608）の数は、DM-RS設定タイプ2に従って前記DM-RSに割り当てられたサブキャリア（608）の前記サブセットにおける前記サブキャリア（608）の数の2倍であり、前記DM-RS設定タイプ1と前記DM-RS設定タイプ2それぞれに対して、同じサイズのビットフィールドが使用され、前記DM-RS設定タイプ2において前記PT-RSに割り当てられたサブキャリア（608）を決定するために、前記ビットフィールドの最上位ビットは、無視またはゼロに設定される、方法。
【請求項６１】
コンピュータプログラム製品であって、前記コンピュータプログラム製品が1つ以上のコンピューティングデバイス（1004; 1204）によって実行されるときに、請求項1から60のいずれか1項の前記ステップを実行するためのプログラムコード部分を含む、コンピュータプログラム製品。
【請求項６２】
コンピュータ可読記録媒体（1006; 1206）に記憶された、請求項61に記載のコンピュータプログラム製品。
【請求項６３】
無線アクセスノード（510）と無線デバイス（512）との間の無線チャネル上で位相追跡参照信号（PT-RS）のための設定メッセージを送信するための、好ましくは無線アクセスノード（510）によって具現化されるデバイス（100）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、
前記設定メッセージを前記無線デバイス（512）に送信するステップを実行するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項６４】
請求項63に記載のデバイスであって、請求項2から30のいずれか１項に記載の前記ステップを実行するように構成される、デバイス。
【請求項６５】
無線アクセスノード（510）と無線デバイス（512）との間の無線チャネル上で位相追跡参照信号（PT-RS）のための設定メッセージを受信するための、好ましくは無線デバイス（512）によって具現化されるデバイス（200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、
前記設定メッセージを前記無線アクセスノード（510）から受信するステップを実行するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、DM-RSは、各DM-RSポートを介して送信または受信され、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項６６】
請求項65に記載のデバイスであって、請求項31から60のいずれか１項に記載の前記ステップを実行するように構成される、デバイス。
【請求項６７】
無線アクセスノード（510）と無線デバイス（512）との間の無線チャネル上で位相追跡参照信号（PT-RS）のための設定メッセージを送信するための、好ましくは無線アクセスノード（510）によって具現化されるデバイス（100）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、少なくとも1つのプロセッサ（1004）とメモリ（1006）とを備え、前記メモリ（1006）は、前記少なくとも1つのプロセッサ（1004）によって実行可能な命令を含み、それにより前記デバイス（100）は、
前記設定メッセージを前記無線デバイス（512）に送信するように動作し、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項６８】
請求項67に記載のデバイスであって、更に請求項2から30のいずれか１項に記載の前記ステップを実行するように動作する、デバイス。
【請求項６９】
無線アクセスノード（510）と無線デバイス（512）との間の無線チャネル上で位相追跡参照信号（PT-RS）のための設定メッセージを受信するための、好ましくは無線デバイス（512）によって具現化されるデバイス（200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、少なくとも1つのプロセッサ（1204）とメモリ（1206）とを備え、前記メモリ（1206）は、前記少なくとも1つのプロセッサ（1204）によって実行可能な命令を含み、それにより前記デバイス（200）は、
前記設定メッセージを前記無線アクセスノード（510）から受信するように動作し、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、DM-RSは、各DM-RSポートを介して送信または受信され、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項７０】
請求項69に記載のデバイスであって、更に請求項31から60のいずれか１項に記載の前記ステップを実行するように動作する、デバイス。
【請求項７１】
無線アクセスノード（510）と無線デバイス（512）との間の無線チャネル上で位相追跡参照信号（PT-RS）のための設定メッセージを表す無線信号構造であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記無線信号構造は、前記無線デバイス（512）への送信のために構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、無線信号構造。
【請求項７２】
請求項71に記載の無線信号構造であって、請求項1から60のいずれか1項に記載の前記ステップをトリガするように更に構成される、無線信号構造。
【請求項７３】
無線アクセスノード（510）と無線デバイス（512）との間の無線チャネル上で位相追跡参照信号（PT-RS）のための設定メッセージを送信する（300）または受信する（400）方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示すビットフィールドを含み、
前記設定メッセージを前記無線アクセスノード（510）から受信する（402）ステップを含む、または、当該ステップをトリガし、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含み、
前記無線チャネルは、1つ以上のDM-RSポートを介してアクセスされ、前記DM-RSの各送信は、前記1つ以上のDM-RSポートのうちの1つに関連付けられ、
前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項７４】
無線アクセスノード（510）と無線デバイス（512）との間の無線チャネル上で位相追跡参照信号（PT-RS）のための設定メッセージを送信または受信するための、好ましくは無線アクセスノード（510）と無線デバイス（512）の少なくとも一方によって具現化されるシステム（100, 200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記システム（100, 200）は、
前記設定メッセージを前記無線デバイス（512）に送信するステップを実行するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、
前記設定メッセージを前記無線アクセスノード（510）から受信するステップを実行するように構成され、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含み、
前記無線チャネルは、1つ以上のDM-RSポートを介してアクセスされ、前記DM-RSの各送信は、前記1つ以上のDM-RSポートのうちの1つに関連付けられ、
前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、システム。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
無線アクセスノード（510）において、前記無線アクセスノード（510）と無線デバイス（512）との間の無線チャネル上で位相追跡参照信号（PT-RS）のための設定メッセージを送信する方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップを含み、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項２】
請求項1に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含み、前記PRB(602）における前記複数のサブキャリア（608）の数は2nより大きい、方法。
【請求項３】
請求項1または2に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項４】
請求項1から3のいずれか1項に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを送信する（304）ステップを更に含む、方法。
【請求項５】
請求項1から4のいずれか1項に記載の方法であって、前記DM-RSに割り当てられたサブキャリア（608）の前記サブセットは、対応するDM-RSポートに依存する、方法。
【請求項６】
請求項5に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000105
により与えられ、ここで、R=1，2又は3；S=1又は2；及びオフセットΔ(p)は前記DM-RSポートpに依存する、方法。
【請求項７】
請求項5又は6に記載の方法であって、異なるDM-RSは、前記DM-RSポートのそれぞれを介して送信される、方法。
【請求項８】
請求項7に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項９】
請求項1から8のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項１０】
無線デバイス（512）において、無線アクセスノード（510）と前記無線デバイス（512）との間の無線チャネル上で位相追跡参照信号（PT-RS）のための設定メッセージを受信する方法（400）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線アクセスノード（510）から受信する（402）ステップを含み、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、DM-RSは、各DM-RSポートを介して送信または受信され、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項１１】
請求項10に記載の方法であって、前記ビットフィールドは、前記DM-RSに割り当てられたサブキャリア（608）の前記サブセットのうち、前記PT-RSに割り当てられた少なくとも1つのサブキャリア（608）を示すnビットを含み、前記PRB(602）における前記複数のサブキャリア（608）の数は2nより大きい、方法。
【請求項１２】
請求項10または11に記載の方法であって、前記ビットフィールドは、前記DM-RSに割り当てられたサブキャリア（608）の前記サブセットのうち、前記PT-RSに割り当てられた前記少なくとも1つのサブキャリア（608）を示す2または3ビットを含み、前記PRB(602）における前記複数のサブキャリア（608）の数は12である、方法。
【請求項１３】
請求項10から12のいずれか1項に記載の方法であって、前記無線アクセスノード（510）は、前記無線デバイス（512）へのダウンリンク送信のために、前記DM-RSポートを介して前記無線チャネルにアクセスするように構成されており、前記方法は、
対応するDM-RSポートのために前記DM-RSに割り当てられたサブキャリア（608）の前記サブセットの中の前記ビットフィールドに従って、前記PT-RSに割り当てられた前記サブキャリア（608）上の前記DM-RSポートのうちの少なくとも1つを介して前記PT-RSを受信する（404）ステップを更に含む、方法。
【請求項１４】
請求項10から13のいずれか1項に記載の方法であって、前記DM-RSに割り当てられたサブキャリア（608）の前記サブセットは、対応する前記DM-RSポートに依存する、方法。
【請求項１５】
請求項14に記載の方法であって、前記PRB（602）は、インデックスｋ∈｛0, ...,11｝によって与えられる12個のサブキャリアを含み、前記DM-RSポートpを介して送信されている前記DM-RSに割り当てられたサブキャリア（608）の前記サブセットは、
2021503805.tif 000106
により与えられ、ここで、R=1，2又は3；S=1又は2；及びオフセットΔ(p)はDM-RSポートpに依存する、方法。
【請求項１６】
請求項14又は15に記載の方法であって、異なるDM-RSは、前記DM-RSポートのそれぞれを介して送信または受信される、方法。
【請求項１７】
請求項16に記載の方法であって、異なるDM-RSポートを介して送信される前記DM-RSは、周波数領域における直交カバーコード（OCC）（FD-OCC）、時間領域における直交カバーコード（TD-OCC）、および前記DM-RSに割り当てられたサブキャリア（608）の前記サブセットのうちの少なくとも1つによって区別される、方法。
【請求項１８】
請求項10から17のいずれか1項に記載の方法であって、前記DM-RSポートpを介して送信される前記DM-RSは、時間領域における直交カバーコード（OCC）（TD-OCC）に従い、周波数領域におけるOCC（FD-OCC）に従い、前記PT-RSに割り当てられた前記サブキャリア（608）は、前記ビットフィールドと、前記TD-OCCのDM-RSポート依存性と、前記FD-OCCのDM-RSポート依存性との組合せに基づいて、前記DM-RSに割り当てられたサブキャリアのサブセットの中から決定される、方法。
【請求項１９】
無線アクセスノード（510）と無線デバイス（512）との間の無線チャネル上で位相追跡参照信号（PT-RS）のための設定メッセージを送信するための無線アクセスノード（510）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（100）は、
前記設定メッセージを前記無線デバイス（512）に送信するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、前記DM-RSの各送信は、前記1つ以上のDM-RSポートのうちの1つに関連付けられ、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項２０】
請求項19に記載の無線アクセスノードであって、請求項2から19のいずれか１項に記載の前記ステップを実行するように構成される、無線アクセスノード。
【請求項２１】
無線アクセスノード（510）と無線デバイス（512）との間の無線チャネル上で位相追跡参照信号（PT-RS）のための設定メッセージを受信するための無線デバイス（512）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記デバイス（200）は、
前記設定メッセージを前記無線アクセスノード（510）から受信するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、前記無線チャネルは、1つ以上のDM-RSポートを介してアクセスされ、DM-RSは、各DM-RSポートを介して送信または受信され、前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、デバイス。
【請求項２２】
請求項21に記載のデバイスであって、請求項10から18のいずれか１項に記載の前記ステップを実行するように構成される、デバイス。
【請求項２３】
無線アクセスノード（510）と無線デバイス（512）との間の無線チャネル上で位相追跡参照信号（PT-RS）のための設定メッセージを送信する（300）または受信する（400）方法（300）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記方法は、
前記設定メッセージを前記無線デバイス（512）に送信する（302）ステップであって、前記設定メッセージは、前記DM-RSに割り当てられたサブキャリア（608）の前記サブセットのうち、前記PT-RSに割り当てられた少なくとも1つのサブキャリア（608）を示すビットフィールドを含む、前記送信するステップと、
前記設定メッセージを前記無線アクセスノード（510）から受信する（402）ステップであって、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含む、前記受信するステップを含み、
前記無線チャネルは、1つ以上のDM-RSポートを介してアクセスされ、前記DM-RSの各送信は、前記1つ以上のDM-RSポートのうちの1つに関連付けられ、
前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、方法。
【請求項２４】
無線アクセスノード（510）と無線デバイス（512）との間の無線チャネル上で位相追跡参照信号（PT-RS）のための設定メッセージを送信または受信するための、無線アクセスノード（510）と無線デバイス（512）の少なくとも一方によって具現化されるシステム（100, 200）であって、前記無線チャネルは、物理リソースブロック（PRB）（602）において複数のサブキャリア（608）を含み、前記PRB（602）における前記サブキャリア（608）のサブセットは、復調参照信号（DM-RS）に割り当てられ、前記システム（100, 200）は、
前記設定メッセージを前記無線デバイス（512）に送信するように構成され、前記設定メッセージは、前記DM-RSに割り当てられたサブキャリア（608）の前記サブセットのうち、前記PT-RSに割り当てられた少なくとも1つのサブキャリア（608）を示すビットフィールドを含み、
前記設定メッセージを前記無線アクセスノード（510）から受信するように構成され、前記設定メッセージは、前記DM-RSに割り当てられたサブキャリア（608）の前記サブセットのうち、前記PT-RSに割り当てられた少なくとも1つのサブキャリア（608）を示す前記ビットフィールドを含み、
前記無線チャネルは、1つ以上のDM-RSポートを介してアクセスされ、前記DM-RSの各送信は、前記1つ以上のDM-RSポートのうちの1つに関連付けられ、
前記PT-RSに割り当てられた前記サブキャリア（608）は、前記設定メッセージにおける前記ビットフィールドと、前記PT-RSが送信または受信されるDM-RSポートとの組合せに基づいて、前記DM-RSに割り当てられたサブキャリア（608）の前記サブセットの中で一意に決定される、システム。
【国際調査報告】
2021503805.tif 000107
2021503805.tif 000108
2021503805.tif 000109
2021503805.tif 000110